(57)【要約】  本発明は、ａ）５０〜８０重量％の少なくとも１種の直鎖、分枝鎖または架橋された有機ポリマー（Ｐ）、ｂ）５〜１０重量％の油中水（Ｗ／Ｏ）型の乳化系（Ｓ1）、ｃ）５〜４５重量％の少なくとも１種の油およびｄ）０〜５重量％の水を含む逆相ラテックス組成物に関する。本発明は、また、その製造方法および使用にも関する。【特許請求の範囲】
【請求項１】
ａ）５０重量％〜８０重量％の、少なくとも１種の直鎖の、分枝鎖の、または架橋された有機ポリマー（Ｐ）、
ｂ）５重量％〜１０重量％の、油中水（Ｗ／Ｏ）型の乳化系（Ｓ1）、
ｃ）５重量％〜４５重量％の、少なくとも１種の油、および
ｄ）０％〜５重量％の水
を含み、前記ポリマーＰが含むモノマー単位のモル比率で０．０１〜１０％が、式（Ｉ）：
Ｃ（Ｒ1）（Ｒ3）＝Ｃ（Ｒ2）−Ｃ（＝Ｏ）−Ｏ−（ＣＨ2−ＣＨ2−Ｏ）n−Ｒ4    （Ｉ）
（ここで、基Ｒ1、Ｒ2およびＲ3は、同じであっても、異なっていてもよく、互いに独立に、水素原子、または１〜４個の炭素原子を含有する直鎖もしくは分枝鎖のアルキル基を表し、基Ｒ4は、６〜３０個の炭素原子を含有する直鎖もしくは分枝鎖の、飽和もしくは不飽和の脂肪族基を表し、ｎは、１〜５０の数を表す）で示される少なくとも１種の中性モノマーであることを特徴とする逆相ラテックスの形態の組成物。
【請求項２】
前記ポリマーＰが含むモノマー単位の０．０５モル％〜５モル％、好ましくは０．１モル％〜１モル％が、式（Ｉ）で示される少なくとも１種の中性モノマーである請求項１に記載の組成物。
【請求項３】
前記ポリマー（Ｐ）が、
−  式（Ｉ）で示される化合物の種々のモノマーのそれぞれが、互いに独立に、部分的にまたは完全に塩にされた強酸官能基を含有するモノマーから、または部分的にまたは完全に塩にされた弱酸官能基を有するモノマーから、または中性モノマーから、またはカチオン性モノマーから選択されたモノマーであるところのコポリマーである
請求項１または２に記載の組成物。
【請求項４】
前記ポリマー（Ｐ）が、用いられるモノマーに対して表現して、０．２５％以下、より特には０．０５％以下、最も特には、０．００５％〜０．０１％のモル比率のジエチレンまたはポリエチレン化合物で架橋されている請求項１〜３のいずれか１項に記載の組成物。
【請求項５】
架橋剤および／または分枝化剤が、エチレングリコールジメタクリレート、ジエチレングリコールジアクリレート、ジアリルオキシ酢酸ナトリウム、エチレングリコールジアクリレート、ジアリル尿素、トリアリルアミン、トリメチロールプロパントリアクリレートおよびメチレンビス（アクリルアミド）、またはこれら化合物の混合物から選択される請求項４に記載の組成物。
【請求項６】
前記ポリマー（Ｐ）が含む強酸官能基を含有するモノマーが、部分的にまたは完全に塩にされた２−メチル−２−［（１−オキソ−２−プロペニル）アミノ］−１−プロパンスルホン酸である請求項１ないし５のいずれか１項に記載の組成物。
【請求項７】
前記ポリマー（Ｐ）が含む弱酸官能基を有するモノマーが、アクリル酸、メタクリル酸、イタコン酸、マレイン酸および部分的にまたは完全に塩にされた３−メチル−３−［（１−オキソ−２−プロペニル）アミノ］ブタン酸から選択される請求項１ないし６のいずれか１項に記載の組成物。
【請求項８】
前記ポリマー（Ｐ）が含む、式（Ｉ）の化合物以外の中性モノマーが、アクリルアミド、メタクリルアミド、ジアセトンアクリルアミド、ジメチルアクリルアミド、Ｎ−イソプロピルアクリルアミド、Ｎ−［２−ヒドロキシ−１，１−ビス（ヒドロキシメチル）エチル］プロペンアミド、（２−ヒドロキシエチル）アクリレート、（２，３−ジヒドロキシプロピル）アクリレート、（２−ヒドロキシエチル）メタクリレート、（２，３−ジヒドロキシプロピル）メタクリレート、およびこれらのエステルのそれぞれの、４００〜１０００の分子量を有するエトキシル化誘導体、またはビニルピロリドンから選択される請求項１ないし７のいずれか１項に記載の組成物。
【請求項９】
前記ポリマー（Ｐ）が含むカチオン性モノマーが、２，Ｎ，Ｎ，Ｎ−テトラメチル−２−［（１−オキソ−２−プロペニル）アミノ］プロパンアンモニウムの塩、２，Ｎ，Ｎ−トリメチル−２−［（１−オキソ−２−プロペニル）アミノ］プロパンアンモニウムの塩、Ｎ，Ｎ，Ｎ−トリメチル−２−［（１−オキソ−２−プロペニル）オキシ］エタンアンモニウムの塩、Ｎ，Ｎ，Ｎ−トリメチル−３−［（１−オキソ−２−プロペニル）オキシ］プロパンアンモニウムの塩、Ｎ，Ｎ，Ｎ−トリメチル−２−［（１−オキソ−２−プロペニル）アミノ］プロパンアンモニウムの塩またはジアリルジメチルアンモニウムの塩から選択される請求項１ないし８のいずれか１項に記載の組成物。
【請求項１０】
式（Ｉ）において、基Ｒ4が、８〜２４個の炭素原子を含有する直鎖もしくは分枝鎖の、飽和もしくは不飽和の脂肪族基を表す請求項１ないし９のいずれか１項に記載の組成物。
【請求項１１】
式（Ｉ）において、基Ｒ1、Ｒ2およびＲ3が、同じであるかまたは異なり、互いに独立に、水素原子またはメチル基を表す請求項１〜１０のいずれか１項に記載の組成物。
【請求項１２】
式（Ｉ）において、ｎが、１〜３０の数である請求項１〜１１のいずれか１項に記載の組成物。
【請求項１３】
式（Ｉ）において、ｎが、１〜２５の数である請求項１〜１２のいずれか１項に記載の組成物。
【請求項１４】
前記モノマーが、基Ｒ1、Ｒ2およびＲ3がそれぞれ水素原子を表し、基Ｒ4がオクチル基、デシル基、ドデシル基、テトラデシル基、ヘキサデシル基、オクタデシル基、エイコシル基、ドコシル基およびテトラコシル基から選ばれる脂肪族基を表し、ｎ’が４〜２５の数を表すところの式（Ｉ）に相当する式（Ｉ’）：
ＣＨ2＝ＣＨ−Ｃ（＝Ｏ）−Ｏ−（ＣＨ2−ＣＨ2−Ｏ）n'−Ｒ’4      （Ｉ’）
で示される化合物、または基Ｒ1およびＲ3がそれぞれ水素原子を表し、基Ｒ2がメチル基を表し、基Ｒ4がオクチル基、ドデシル基、テトラデシル基、ヘキサデシル基、オクタデシル基、エイコシル基、ドコシル基およびテトラコシル基から選ばれる脂肪族基を表し、ｎ’が４〜２５の数を表すところの式（Ｉ）に相当する式（Ｉ”）：
ＣＨ2＝Ｃ（ＣＨ3）−Ｃ（＝Ｏ）−Ｏ−（ＣＨ2−ＣＨ2−Ｏ）n"−Ｒ”4    （Ｉ”）
で示される化合物から選ばれる請求項１０〜１２のいずれか１項に記載の組成物。
【請求項１５】
前記ポリマー（Ｐ）が、
−  ナトリウム塩またはアンモニウム塩の形態に部分的に塩にされたアクリル酸と、アクリルアミドと、テトラエトキシル化ラウリルアクリレートとの架橋されたコポリマー、
−  ナトリウム塩の形態に部分的に塩にされた２−メチル−２−［（１−オキソ−２−プロペニル）アミノ］−１−プロパンスルホン酸と、アクリルアミドと、テトラエトキシル化ラウリルアクリレートとの架橋されたコポリマー、
−  それぞれナトリウム塩の形態に部分的に塩にされた２−メチル−２−［（１−オキソ−２−プロペニル）アミノ］−１−プロパンスルホン酸およびアクリル酸と、テトラエトキシル化ラウリルアクリレートとの架橋されたコポリマー、
−  ナトリウム塩の形態に部分的に塩にされた２−メチル−２−［（１−オキソ−２−プロペニル）アミノ］−１−プロパンスルホン酸と、２−ヒドロキシエチルアクリレートと、テトラエトキシル化ラウリルアクリレートとの架橋されたコポリマー、
−  Ｎ，Ｎ，Ｎ−トリメチル−３−（１−オキソ−２−プロペニル）プロパンアンモニウムアクリルアミドと、テトラエトキシル化ラウリルアクリレートとの架橋されたコポリマー、
−  ナトリウム塩の形態に部分的に塩にされた２−メチル−２−［（１−オキソ−２−プロペニル）アミノ］−１−プロパンスルホン酸と、テトラエトキシル化ラウリルアクリレートとの架橋されたコポリマー、
−  アンモニウム塩またはモノエタノールアミン塩の形態に部分的に塩にされたアクリル酸と、テトラエトキシル化ラウリルアクリレートとの架橋されたコポリマー、
−  アクリルアミドと、Ｎ，Ｎ，Ｎ−トリメチル−３−（１−オキソ−２−プロペニル）プロパンアンモニウムと、トリス（ヒドロキシメチル）アミノメチルアクリルアミドと、テトラエトキシル化ラウリルアクリレートとのコポリマー、
−  アクリルアミドと、それぞれナトリウム塩の形態に部分的に塩にされた２−メチル−２−［（１−オキソ−２−プロペニル）アミノ］−１−プロパンスルホン酸およびアクリル酸と、テトラエトキシル化ラウリルアクリレートとの架橋されたコポリマー、並びに
−  ナトリウム塩の形態に部分的に塩にされた２−メチル−２−［（１−オキソ−２−プロペニル）アミノ］−１−プロパンスルホン酸と、アクリルアミドと、ビニルピロリドンと、テトラエトキシル化ラウリルアクリレートとのコポリマー
から選択される請求項１〜１４のいずれか１項に記載の組成物。
【請求項１６】
前記ポリマー（Ｐ）を６０重量％〜７０重量％含む請求項１〜１５のいずれか１項に記載の組成物。
【請求項１７】
水中油（Ｏ／Ｗ）型の乳化系（Ｓ2）を、組成物の重量の５％まで含む請求項１〜１７のいずれか１項に記載の組成物。
【請求項１８】
ａ）モノマーおよび任意の親水性添加剤を含む水相（Ａ）を、界面活性剤系（Ｓ1）、最終組成物に存在することが意図される油と揮発性油とからなる混合物および任意の疎水性添加剤を含む有機相（Ｏ）中に乳化させ、
ｂ）フリーラジカル開始剤を、ａ）で生成したエマルジョンに導入することにより重合反応を開始させ、次いで、該反応を進行させ、
ｃ）工程ｂ）から得た反応媒体を、前記揮発性油が完全に除去されるまで蒸留により濃縮する
ことを特徴とする請求項１〜１７のいずれか１項に記載の組成物を製造するための方法。
【請求項１９】
工程ｃ）の後に、水中油型の１以上の乳化剤を、５０℃未満の温度で導入する請求項１８に記載の方法。
【請求項２０】
局所用組成物、化粧料組成物、皮膚薬学的組成物または薬学的組成物のための増粘剤および／または乳化剤としての請求項１ないし１７のいずれか１項に記載の組成物の使用。
【請求項２１】
織物捺染用ペーストのための増粘剤としての請求項１ないし１７のいずれか１項に記載の組成物の使用。
【発明の詳細な説明】
【発明の開示】
【０００１】
本特許出願は、油中水型逆相ラテックス（water-in-oil inverse latices）、その製造方法、および工業製品、皮膚ケア製品および毛髪ケア製品における、または化粧料製剤、皮膚薬学的製剤もしくは薬学的製剤の製造のための増粘剤および／または乳化剤としてのその使用に関する。
【０００２】
部分的にまたは完全に塩にされた酸２−メチル−２−［（１−オキソ−２−プロペニル）アミノ］−１−プロパンスルホン酸（２−アクリルアミド−２−メチルプロパンスルホン酸、ＡＴＢＳまたはＡＭＰＳとしても知られる）の逆相ラテックスおよびそれらの化粧料的および／または薬学的使用は、多数の特許出願の主題であった。しかしながら、多量の水および油の存在は、体積、経費および時には増加した危険および／または毒性効果の点で少なからぬ欠点を示す。
【０００３】
したがって、例えば多かれ少なかれ多量の水と油を除去するために反応媒体を重合の終わりに真空蒸留工程に供することにより、最終ラテックス中のポリマーの濃度を増加させるために解決策が開発されてきた。しかしながら、この蒸留は、しばしば、安定化剤を事前に添加することにより対処しなければならない逆相ラテックスの不安定化を引き起こすので実施が困難である。欧州特許出願ＥＰ０１６１０３８およびＥＰ０１２６５２８および英国特許出願ＧＢ１４８２５１５は、安定化性ポリマーのそのような使用を開示する。
【０００４】
これらの生成物の欠点は、それらが環境上の問題を引き起こすアルコールまたはグリコールを含んでいるということである。さらに、反応媒体は、ときに、蒸留工程の間に硬化して固体となり、この現象は実際にはこれまで説明されてきたことがないが、その明らかな帰結は、逆相ラテックスのそのバッチの損失と、反応器の面倒で高価な洗浄である。最後に、蒸留が正しく行われても、得られる逆相ラテックスは反転させることがしばしば困難であり、高い粘度を有し、ときにはマイクロゲルを含有する。したがって、これらの欠点は、それらが化粧料組成物の製造に、および／または織物捺染に用いられることを妨げる。
【０００５】
したがって、本出願人は、以上の欠点を持たず、電解質の改善された含有量を有する濃縮された逆相ラテックス、すなわち少なくとも５０重量％のポリマーおよび５重量％未満の水を含むラテックスを開発するという目的を自ら設定するものである。
【０００６】
第１の側面によれば、本発明の１つの主題は、
ａ）５０重量％〜８０重量％の、少なくとも１種の直鎖の、分枝鎖の、または架橋された有機ポリマー（Ｐ）、
ｂ）５重量％〜１０重量％の、油中水（Ｗ／Ｏ）型の乳化系（Ｓ1）、
ｃ）５重量％〜４５重量％の、少なくとも１種の油、および
ｄ）０％〜５重量％の水
を含み、前記ポリマーＰが含むモノマー単位のモル比率で０．０１〜１０％が、式（Ｉ）：
Ｃ（Ｒ1）（Ｒ3）＝Ｃ（Ｒ2）−Ｃ（＝Ｏ）−Ｏ−（ＣＨ2−ＣＨ2−Ｏ）n−Ｒ4    （Ｉ）
（ここで、基Ｒ1、Ｒ2およびＲ3は、同じであっても、異なっていてもよく、互いに独立に、水素原子、または１〜４個の炭素原子を含有する直鎖もしくは分枝鎖のアルキル基を表し、基Ｒ4は、６〜３０個の炭素原子を含有する直鎖もしくは分枝鎖の、飽和もしくは不飽和の脂肪族基を表し、ｎは、１〜５０の数を表す）で示される少なくとも１種の中性モノマーであることを特徴とする逆相ラテックスの形態の組成物である。
【０００７】
用語「１〜４個の炭素原子を含有する直鎖もしくは分枝鎖のアルキル基」とは、基Ｒ1、Ｒ2およびＲ3について、メチル基、エチル基、プロピル基、イソプロピル基、ブチル基、イソブチル基、ｓｅｃ−ブチル基またはｔｅｒｔ−ブチル基を意味する。
【０００８】
用語「６〜３０個の炭素原子を含有する直鎖もしくは分枝鎖の、飽和もしくは不飽和の脂肪族基」とは、基Ｒ4について、より特には、例えばヘキシル基、オクチル基、ノニル基、デシル基、ウンデシル基、ドデシル基、テトラデシル基、ヘキサデシル基、オクタデシル基、エイコシル基、ドコシル基、テトラコシル基、ヘキサコシル基、オクタコシル基またはトリアコンチル基のよう飽和直鎖基を意味する。
【０００９】
本発明の主題は、より特には、ポリマーＰが含むモノマー単位のモル比率で０．０５モル％〜５モル％、好ましくはモル比率で０．１モル％〜１モル％が、式（Ｉ）で示される少なくとも１種の中性モノマーである請求項１に記載の組成物である。
【００１０】
上に規定した組成物は、単一のポリマー（Ｐ）か、あるいは異なるポリマー（Ｐ）の混合物を含有する。
【００１１】
本発明の第１の具体的な側面によると、ポリマー（Ｐ）は、
−  式（Ｉ）で示される化合物の種々のモノマーのそれぞれが、互いに独立に、部分的にまたは完全に塩にされた強酸官能基を含有するモノマーから、または部分的にまたは完全に塩にされた弱酸官能基を有するモノマーから、または中性モノマーから、またはカチオン性モノマーから選択されたモノマーであるところのコポリマーである。
【００１２】
上に規定した組成物において、油中水（Ｗ／Ｏ）型の乳化系（Ｓ1）は、単一の界面活性剤または界面活性剤の混合物のいずれかからなり、但し、この混合物は、油中水型エマルジョンを生じさせるために十分に低いＨＬＢ値を有するものである。油中水型の乳化剤の例には、ソルビタンエステル、例えば、ソルビタンオレエート例えば名称モンテーン（Montane）（登録商標）８０の下でセピック（SEPPIC）により販売されている生成物、ソルビタンイソステアレート例えば名称モンテーン（登録商標）７０の下でセピックにより販売されている生成物、またはソルビタンセスキオレエート例えば名称モンテーン（登録商標）８３の下でセピックにより販売されている生成物が含まれる。また、ある種のポリエトキシル化ソルビタンエステル、例えば、ペンタエトキシル化ソルビタンモノオレエート例えば名称モンタノックス（Montanox）（登録商標）８１の下でセピック社により販売されている生成物、またはペンタエトキシル化ソルビタンイソステアレート例えば名称モンタノックス（登録商標）７１の下でセピックにより販売されてる生成物を挙げることができる。また、ジエトキシル化オレオセチルアルコール例えば名称サイマルゾル（Simulsol）（登録商標）ＯＣ７２の下でセピックにより販売されている生成物、１０００〜３０００の分子量を有するポリエステル、またはユニケマ（Uniqema）社により販売されているハイパーマー（Hypermer）（登録商標）２２９６のようなポリ（イソブテニル）コハク酸またはその無水物の縮合から製造される生成物、または、最後に、２５００〜３５００の分子量を有するブロックコポリマー例えばユニケマ社により販売されているハイパーマー（登録商標）Ｂ２４６またはセピック社により販売されているサイマライン（Simaline）（登録商標）ＩＥ２００を挙げることができる。
【００１３】
用語「分枝ポリマー」とは、（Ｐ）について、このポリマーが水に溶けたとき非常に高い、低勾配の粘度をもたらす高度の交絡を得るような側鎖を含有する非線状のポリマーを意味する。
【００１４】
用語「架橋されたポリマー」とは、（Ｐ）について、水中で、不溶性であるが、水膨潤性の三次元網状組織を有し、したがって化学的ゲルの生成をもたらす非線状のポリマーを意味する。
【００１５】
本発明による組成物は、線状ポリマー、架橋されたポリマーおよび／または分枝ポリマーを含み得る。
【００１６】
ポリマー（Ｐ）が架橋されているとき、それは、より特には、用いられるモノマーに対して表現して、０．５％以下、より特には０．００５％〜０．０１％のモル比率のジエチレンまたはポリエチレン化合物で架橋される。好ましくは、架橋剤および／または分枝化剤は、エチレングリコールジメタクリレート、ジエチレングリコールジアクリレート、ジアリルオキシ酢酸ナトリウム、エチレングリコールジアクリレート、ジアリル尿素、トリアリルアミン、トリメチロールプロパントリアクリレートおよびメチレンビス（アクリルアミド）またはこれら化合物の混合物から選択される。
【００１７】
強酸官能基を含むモノマーの強酸官能基は、特に、スルホン酸官能基またはホスホン酸官能基である。該モノマーは、例えば、部分的にまたは完全に塩にされたスチレンスルホン酸、または好ましくは、部分的にまたは完全に塩にされた２−メチル−２−［（１−オキソ−２−プロペニル）アミノ］−１−プロパンスルホン酸（２−アクリルアミド−２−メチルプロパンスルホン酸としても知られる）である。
【００１８】
弱酸官能基を含むモノマーの弱酸官能基は、特に、部分的に塩にされたカルボン酸官能基である。該モノマーは、例えば、部分的にまたは完全に塩にされた、アクリル酸、メタクリル酸、イタコン酸、マレイン酸または３−メチル−３−［（１−オキソ−２−プロペニル）アミノ］ブタン酸であり得る。
【００１９】
強酸官能基を有するモノマーまたは弱酸官能基を有するモノマーについては、用語「塩にされた」とは、それらがナトリウムもしくはカリウム塩のようなアルカリ金属塩または窒素系塩基の塩例えばアンモニウム塩、リシン塩もしくはモノエタノールアミン（ＨＯ−ＣＨ2−ＣＨ2−ＮＨ4+）塩を意味する。
【００２０】
式（Ｉ）の化合物の種々の中性モノマーは、特に、アクリルアミド、メタクリルアミド、ジアセトンアクリルアミド、ジメチルアクリルアミド、Ｎ−イソプロピルアクリルアミド、Ｎ−［２−ヒドロキシ−１，１−ビス（ヒドロキシメチル）エチル］プロペンアミド［またはトリス（ヒドロキシメチル）アクリルアミドメタンまたはＮ−トリス（ヒドロキシメチル）メチルアクリルアミド、ＴＨＡＭとしても知られる］、（２−ヒドロキシエチル）アクリレート、（２，３−ジヒドロキシプロピル）アクリレート、（２−ヒドロキシエチル）メタクリレート、（２，３−ジヒドロキシプロピル）メタクリレート、これらのエステルのそれぞれの４００ないし１０００の分子量を有するエトキシル化誘導体、またはビニルピロリドンから選択される。
【００２１】
カチオン性モノマーは、特に、第４級アンモニウム誘導体から選択される。該モノマーは、例えば、２，Ｎ，Ｎ，Ｎ−テトラメチル−２−［（１−オキソ−２−プロペニル）アミノ］プロパンアンモニウムの塩、２，Ｎ，Ｎ−トリメチル−２−［（１−オキソ−２−プロペニル）アミノ］プロパンアンモニウムの塩、Ｎ，Ｎ，Ｎ−トリメチル−２−［（１−オキソ−２−プロペニル）オキシ］エタンアンモニウムの塩、Ｎ，Ｎ，Ｎ−トリメチル−３−［（１−オキソ−２−プロペニル）オキシ］プロパンアンモニウムの塩、Ｎ，Ｎ，Ｎ−トリメチル−２−［（１−オキソ−２−プロペニル）アミノ］プロパンアンモニウムの塩またはジアリルジメチルアンモニウムの塩であり得る。用語「塩」とは、より特には、前記アンモニウム塩の塩化物、臭化物またはヨウ化物を意味する。
【００２２】
本発明の主題は、より特には、式（Ｉ）において基Ｒ4が、８〜２４個の炭素原子を含有する直鎖もしくは分枝鎖の、飽和もしくは不飽和の脂肪族基を表すところの上に規定した組成物、式（Ｉ）において基Ｒ1、Ｒ2およびＲ3が同じであるかまたは異なり互いに独立に水素原子またはメチル基を表すところの上に規定した組成物、または、式（Ｉ）においてｎが、１〜３０の数、好ましくは１〜２５の数であるところの上に規定した組成物である。
【００２３】
他の具体的な側面によると、上に規定した組成物において、モノマーは、基Ｒ1、Ｒ2およびＲ3がそれぞれ水素原子を表し、基Ｒ4がオクチル基、デシル基、ドデシル基、テトラデシル基、ヘキサデシル基、オクタデシル基、エイコシル基、ドコシル基およびテトラコシル基から選ばれる脂肪族基を表し、ｎ’が４〜２５の数を表すところの式（Ｉ）に相当する式（Ｉ’）：
ＣＨ2＝ＣＨ−Ｃ（＝Ｏ）−Ｏ−（ＣＨ2−ＣＨ2−Ｏ）n'−Ｒ’4      （Ｉ’）
で示される化合物、または基Ｒ1およびＲ3がそれぞれ水素原子を表し、基Ｒ2がメチル基を表し、基Ｒ4がオクチル基、ドデシル基、テトラデシル基、ヘキサデシル基、オクタデシル基、エイコシル基、ドコシル基およびテトラコシル基から選ばれる脂肪族基を表し、ｎ’が４〜２５の数を表すところの式（Ｉ）に相当する式（Ｉ”）：
ＣＨ2＝Ｃ（ＣＨ3）−Ｃ（＝Ｏ）−Ｏ−（ＣＨ2−ＣＨ2−Ｏ）n"−Ｒ”4      （Ｉ”）
で示される化合物から選ばれる。
【００２４】
そこで、ポリマー（Ｐ）は、好ましくは、
−  ナトリウム塩またはアンモニウム塩の形態に部分的に塩にされたアクリル酸と、アクリルアミドと、テトラエトキシル化ラウリルアクリレートとの架橋されたコポリマー、
−  ナトリウム塩の形態に部分的に塩にされた２−メチル−２−［（１−オキソ−２−プロペニル）アミノ］−１−プロパンスルホン酸と、アクリルアミドと、テトラエトキシル化ラウリルアクリレートとの架橋されたコポリマー、
−  それぞれナトリウム塩の形態に部分的に塩にされた２−メチル−２−［（１−オキソ−２−プロペニル）アミノ］−１−プロパンスルホン酸およびアクリル酸と、テトラエトキシル化ラウリルアクリレートとの架橋されたコポリマー、
−  ナトリウム塩の形態に部分的に塩にされた２−メチル−２−［（１−オキソ−２−プロペニル）アミノ］−１−プロパンスルホン酸と、２−ヒドロキシエチルアクリレートと、テトラエトキシル化ラウリルアクリレートとの架橋されたコポリマー、
−  Ｎ，Ｎ，Ｎ−トリメチル−３−（１−オキソ−２−プロペニル）プロパンアンモニウムアクリルアミドと、テトラエトキシル化ラウリルアクリレートとの架橋されたコポリマー、
−  ナトリウム塩の形態に部分的に塩にされた２−メチル−２−［（１−オキソ−２−プロペニル）アミノ］−１−プロパンスルホン酸と、テトラエトキシル化ラウリルアクリレートとの架橋されたコポリマー、
−  アンモニウム塩またはモノエタノールアミン塩の形態に部分的に塩にされたアクリル酸と、テトラエトキシル化ラウリルアクリレートとの架橋されたコポリマー、
−  アクリルアミドと、Ｎ，Ｎ，Ｎ−トリメチル−３−（１−オキソ−２−プロペニル）プロパンアンモニウムと、トリス（ヒドロキシメチル）アミノメチルアクリルアミドと、テトラエトキシル化ラウリルアクリレートとのコポリマー、
−  アクリルアミドと、それぞれナトリウム塩の形態に部分的に塩にされた２−メチル−２−［（１−オキソ−２−プロペニル）アミノ］−１−プロパンスルホン酸およびアクリル酸と、テトラエトキシル化ラウリルアクリレートとの架橋されたコポリマー、並びに
−  ナトリウム塩の形態に部分的に塩にされた２−メチル−２−［（１−オキソ−２−プロペニル）アミノ］−１−プロパンスルホン酸と、アクリルアミドと、ビニルピロリドンと、テトラエトキシル化ラウリルアクリレートとのコポリマー
から選択される
本発明の他の具体的な形態によると、上に規定した組成物は、少なくとも６０重量％で、７０重量％以下のポリマー（Ｐ）を含む。
【００２５】
本発明の他の具体的な形態によると、上に規定した記組成物は、さらに、水中油（Ｏ／Ｗ）型の乳化系（Ｓ2）を組成物の５％まで含む。
【００２６】
表現「水中油型の乳化剤」とは、例えば、エトキシル化ソルビタンエステル例えば名称モンタノックス（登録商標）８０の下でセピック社により販売されている２０モルのエチレンオキサイドによりポリエトキシル化されたソルビタンオレエート、名称モンタノックス（登録商標）２０の下でセピック社により販売されている２０モルのエチレンオキサイドによりポリエトキシル化されたソルビタンラウレート、名称サイマルゾル（登録商標）ＯＬ５０の下で販売されている４０モルのエチレンオキサイドによりポリエトキシル化されたひまし油、名称サイマルゾル（登録商標）ＯＣ７１０の下でセピックにより販売されているデカエトキシル化オレオデシルアルコール、名称サイマルゾル（登録商標）Ｐ７の下で販売されているヘプタエトキシル化ラウリルアルコール、名称ノナロックス（Nonarox）（登録商標）−１０−３０の下でセピックにより販売されているデカエトキシル化ノニルフェノールまたは名称サイマライン（登録商標）−ＩＥ４００の下でセピックにより販売されているポリエトキシル化ソルビタンヘキサオレエートのような、水中油型エマルジョンを提供するのに十分に高いＨＬＢ値を有する乳化剤を意味する。
【００２７】
本発明の主題である組成物において、油相は、室温で０．７〜０．９の密度および約２５０℃を超える沸点を有する、飽和炭化水素例えばパラフィン、イソパラフィンまたはシクロパラフィンを含有する市販の鉱油、例えばエクソン・ケミカルにより販売されているマルコール（Marcol）（登録商標）５２からなるか、または植物油例えば植物起源のスクアラン、もしくは水素化ポリイソブテンまたは水素化ポリデセンのような合成油からなるか、またはそれらの油の複数の混合物からなる。マルコール（登録商標）５２は、フランス薬局方の液体ワセリンの定義に相当する市販の油である。それは、ＦＤＡ規則ＣＦＲ１７２．８７８およびＣＦＲ１７８．３６２０（ａ）に合致する白色鉱油であり、米国薬局方ＵＳ  ＸＸＩＩＩ（１９９５）および欧州薬局方（１９９３）に登録されている。本発明による組成物は、また、錯化剤、連鎖移動剤または連鎖制限剤のような種々の添加剤も含み得る。
【００２８】
本発明の他の側面によれと、その主題は、
ａ）モノマーおよび任意の親水性添加剤を含む水相（Ａ）を、界面活性剤系（Ｓ1）、最終組成物に存在することが意図される油と揮発性油とからなる混合物および任意の疎水性添加剤を含む有機相（Ｏ）中に乳化させ、
ｂ）フリーラジカル開始剤を、ａ）で生成したエマルジョンに導入することにより重合反応を開始させ、次いで、該反応を進行させ、
ｃ）工程ｂ）から得た反応媒体を、前記揮発性油が完全に除去されるまで蒸留により濃縮する
ことを特徴とする上に規定した組成物を製造するための方法である。
【００２９】
上に規定した方法での使用に好適な揮発性油は、例えば、８〜１１個の炭素原子を含む軽質イソパラフィン、例えば名称アイソパー（Isopar）（登録商標）Ｇ、アイソパー（登録商標）Ｌ、アイソパー（登録商標）Ｈまたはアイソパー（登録商標）Ｊの下で販売されているものある。
【００３０】
上に規定した方法の好ましい実施によると、重合反応は、１０℃以下の温度で、クメンヒドロペルオキシド−メタ重亜硫酸ナトリウム対のようなレドックス対により開始され、次いで、４０℃以上の温度、特に５０℃以上の温度まで準断熱的に、または温度変化を制御することにより、行われる。
【００３１】
工程ｃ）が完了すると、所望であれば、水中油型の１種以上の乳化剤を５０℃未満の温度で導入する。
【００３２】
本発明の主題は、また、化粧料組成物、皮膚薬学的組成物または薬学的局所用組成物を調製するための上に規定した組成物の使用である。
【００３３】
ヒトまたは動物の皮膚または粘膜に適用されることが意図される本発明による局所用（topical）組成物は、少なくとも１の水相および少なくとも１の油相を含む局所用エマルジョンからなり得る。この局所用エマルジョンは、水中油型のものであり得る。より特には、この局所用エマルジョンは、ミルクまたは流動性（fluid）ゲルのような流動性エマルジョンからなり得る。局所用エマルジョンの油相は、１以上の油の混合物からなり得る。
【００３４】
本発明による局所用組成物は、化粧的使用のために意図され得るか、または皮膚および粘膜の疾患の治療が意図される医薬を製造するために用いられ得る。後者の場合には、そのとき局所用組成物は、例えば、抗炎症剤、筋肉弛緩剤、抗菌剤または抗細菌剤からなり得る活性成分を含む。
【００３５】
局所用組成物が皮膚または粘膜に付与されることが意図される化粧料組成物として用いられるとき、それは、活性成分、例えば、保湿剤、日焼け剤、日焼け止め、しわ防止剤、スリム化目的の薬剤、フリーラジカル捕捉剤、ニキビ防止剤または抗菌剤を含んでいても、いなくてもよい。
【００３６】
本発明による局所用組成物は、通常、０．１％〜１０重量％の、上に規定した増粘剤を含む。局所用組成物のｐＨは、好ましくは５以上である。
【００３７】
局所用組成物は、さらに、このタイプの組成物中に通常存在する化合物、例えば、フレグランス、保存剤、染料、エモリエント剤または界面活性剤を含んでいてもよい。
【００３８】
さらに他の側面によれば、本発明は、少なくとも１の水相を含む局所用組成物を増粘し、乳化するための、上述の本発明による新規な増粘剤の使用に関する。
【００３９】
本発明による組成物は、本出願人により名称セピゲル（Sepigel）（登録商標）３０５、セピゲル（登録商標）５０１、セピゲル（登録商標）ＥＧ、セピゲル（登録商標）ＮＳまたはセピゲル（登録商標）６００の下で販売されている組成物に対する有利な代替物である。該組成物はまた、ミルク、ローション、クリーム、石鹸、入浴液、バーム、シャンプーまたはヘアコンディショナーのような組成物の製造に用いられる他の賦形剤との高い相溶性を有するからである。本組成物は、また、上記セピゲルまたはサイマルゲル製品とともに用いることもできる。
【００４０】
本組成物は、国際公開ＷＯ９２／０６７７８、ＷＯ９５／０４５９２、ＷＯ９５／１３８６３、ＷＯ９６／３７２８５、ＷＯ９８／２２２０７およびＷＯ９８／４７６１０において、または特許ＦＲ２７３４４９６において開示され、特許請求されている濃縮物と、またＷＯ９３／０８２０４に開示されている界面活性剤と特に相容性である。
【００４１】
本組成物は、モンタノフ（Montanov）（登録商標）６８、モンタノフ（登録商標）８２、モンタノフ（登録商標）２０２またはセピパール（Sepiperl）（登録商標）Ｎと相容性である。それは、また、ＥＰ０６２９３９６に開示され、特許請求されているタイプのエマルジョンにおいて、そして、例えば、ＷＯ９３／０５７６２またはＷＯ９３／２１３１６に開示されているものから選択されるオルガノポリシロキサン化合物を有する化粧料的にまたは生理学的に許容され得る水性分散体においても用いることができる。
【００４２】
本組成物はまた、ＷＯ９３／０７８５６に開示されているもののような化粧料的または生理学的に許容され得る酸性ｐＨで水性ゲルを形成するためにも用いられ得る。それは、また、例えばＥＰ０６８４０２４に開示されているもののようなスタイリングジェルを形成するためにノニオン性セルロースと組み合わせて、またはＥＰ０６０３０１９に開示されているもののような毛髪または皮膚を処理するための組成物を形成するために糖の脂肪酸エステルと組み合わせて、またはＷＯ９２／２１３１６に開示され特許請求されているようなシャンプーまたはヘアコンディショナーにおいて、または最後に、ＤＥ１９５２３５９６に開示されているもののような毛髪処理製品を生成するためにカーボポール（Carbopol）（登録商標）のようなアニオン性ホモポリマーと組み合わせて、または他の増粘用ポリマーと組み合わせて、用いることができる。
【００４３】
本発明による組成物は、また、セルフタンニング剤、例えば、ジヒドロキシアセトン（ＤＨＡ）、またはニキビ防止剤のような活性成分とも相容性である。したがって、それは、ＥＰ０７１５８４５、ＥＰ０６０４２４９、ＥＰ０５７６１８８において、またはＷＯ９３／０７９０２において特許請求されているもののようなセルフタンニング組成物に導入することができる。
【００４４】
本組成物はまた、ＷＯ９２／２１３１８、ＷＯ９４／２７５６１またはＷＯ９８／０９６１１に記載され、特許請求されているもののような、特に、敏感な皮膚のための、鎮静用組成物での使用を可能とするＮ−アシルアミノ酸誘導体とも相容性である。
【００４５】
上に規定した組成物が毛髪の処理を意図するものであるとき、それは、より特には、本発明の主題であるカチオン性ポリマーの逆相ラテックスを含む。
【００４６】
上に規定した組成物が、皮膚および／または粘膜の処理を意図するものであるとき、それは、より特には、本発明の主題であるアニオン性ポリマーの逆相ラテックスを含む。
【００４７】
本発明の主題である逆相ラテックスは、織物捺染用ペーストのための増粘剤として用いることができる。
【００４８】
以下の例は、本発明を例示することを目的としている。
【００４９】
例１：ＭＢＡで架橋されたコポリマーＡＭ／ＡＡ／（ＡＬＥ−４０Ｅ）の逆相ラテックス（アニオン性増粘剤−組成物１）
ａ）以下のものを、攪拌しながら、第１のビーカーに連続的に導入する：
−  １０６．５ｇの市販の５０％（質量）アクリルアミド（ＡＭ）溶液、
−  １６２．０ｇの氷(glacial)アクリル酸（ＡＡ）、
−  ９８．１ｇの２９．３重量％のアンモニア水溶液、
−  ０．０４７ｇのメチレンビス（アクリルアミド）（ＭＢＡ）、
−  ０．４５ｇの市販の４０％ジエチレントリアミンペンタ酢酸ナトリウム溶液、
−  ６８０ｇにするための脱イオン水。
【００５０】
ｂ）有機相を、
−  １２１ｇのポリイソブテン、
−  ２８ｇのマルコール（登録商標）５２、
−  ９９ｇのアイソパー（登録商標）Ｈ、
−  １７ｇのモンテーン（登録商標）７０、
−  ３ｇのハイパーマー（登録商標）２２９６、
−  ５ｇのサイマライン（登録商標）ＩＥ２００、
−  １．２ｇのテトラエトキシル化ラウリルアクリレート（市販）（ＡＬＥ−４０Ｅ）、
−  ０．１ｇのＡＩＢＮ
を一緒に混合することにより第２のビーカー中で調製する。
【００５１】
ｃ）ついで、攪拌しながら、上記水相を有機相中に導入し、こうして得られたプレ−エマルジョンを、次に、窒素噴霧下で、微細エマルジョンを作るように、シルバーソンタイプのターボミキサーを用いた激しい機械的攪拌に供する。
【００５２】
ｄ）約８℃に冷却した後、レドックス対：クメンヒドロペルオキシド／メタ重亜硫酸ナトリウムを用いて重合反応を開始させる。
【００５３】
ｅ）重合反応が完了したら、アイソパー（登録商標）Ｈおよび実質的にすべての水を真空蒸留により除去する。
【００５４】
ｆ）２％のモンタノックス（登録商標）２０および４％のラウレス（Laureth）−７の導入後、約６３％のポリマーを含むアニオン性増粘用逆相ラテックスが得られる。得られた生成物は、やや粘稠であり、高い増粘力を有し、容易に相反転する。カール−フィッシャー滴定測定により測定したその水分含有量は、１．８重量％である。
【００５５】
粘度の測定（ブルックフィールドＲＶＴ粘度計）
Ａ  −  得られた濃縮逆相ラテックス２重量％を含む水溶液、および該逆相ラテックス２重量％と、塩化ナトリウム０．１重量％、１重量％および５重量％含有する水溶液の粘度を測定する。
【表１】
2008524368.tif 000002
【００５６】
例２：ＭＢＡで架橋されたコポリマーＡＭ／ＡＡ／（ＡＬＥ−４０Ｅ）の逆相ラテックス（アニオン性増粘剤−組成物２）
ａ）以下のものを、攪拌しながら、第１のビーカーに連続的に導入する：
−  １０６．５ｇの市販の５０％（質量）アクリルアミド（ＡＭ）溶液、
−  １６２．０ｇの氷アクリル酸（ＡＡ）、
−  ９８．１ｇの２９．３重量％のアンモニア水溶液、
−  ０．０４７ｇのメチレンビス（アクリルアミド）（ＭＢＡ）、
−  ０．４５ｇの市販の４０％ジエチレントリアミンペンタ酢酸ナトリウム溶液、
−  ６８０ｇにするための脱イオン水。
【００５７】
ｂ）有機相を、
−  １２１ｇのポリイソブテン、
−  ２８ｇのマルコール（登録商標）５２、
−  ９９ｇのアイソパー（登録商標）Ｈ、
−  １７ｇのモンテーン（登録商標）７０、
−  ３ｇのハイパーマー（登録商標）２２９６、
−  ５ｇのサイマライン（登録商標）ＩＥ２００、
−  ３．０ｇのテトラエトキシル化ラウリルアクリレート（市販）（ＡＬＥ−４０Ｅ）、
−  ０．１ｇのＡＩＢＮ
を一緒に混合することにより第２のビーカー中で調製する。
【００５８】
ｃ）ついで、攪拌しながら、上記水相を有機相中に導入し、こうして得られたプレ−エマルジョンを、次に、窒素噴霧下で、微細エマルジョンを作るように、シルバーソンタイプのターボミキサーを用いた激しい機械的攪拌に供する。
【００５９】
ｄ）約８℃に冷却した後、レドックス対：クメンヒドロペルオキシド／メタ重亜硫酸ナトリウムを用いて重合反応を開始させる。
【００６０】
ｅ）重合反応が完了したら、アイソパー（登録商標）Ｈおよび実質的にすべての水を真空蒸留により除去する。
【００６１】
ｆ）２％のモンタノックス（登録商標）２０および４％のラウレス（Laureth）−７の導入後、約６３％のポリマーを含むアニオン性増粘用逆相ラテックスが得られる。得られた生成物は、やや粘稠であり、高い増粘力を有し、容易に相反転する。カール−フィッシャー滴定測定により測定したその水分含有量は、２重量％である。
【００６２】
粘度の測定（ブルックフィールドＲＶＴ粘度計）
Ａ  −  得られた濃縮逆相ラテックス２重量％を含む水溶液、および該逆相ラテックス２重量％と、塩化ナトリウム０．１重量％、１重量％および５重量％含有する水溶液の粘度を測定する。
【表２】
2008524368.tif 000003
【００６３】
例３：コポリマーＡＭ／ＡＡ／（ＡＬＥ-４０Ｅ）の逆相ラテックス（アニオン性増粘剤−組成物３）
前記例におけるようにプロセスを行うが、この場合、６ｇのテトラエトキシル化ラウリルアクリレートを用い、メチレンビスアクリルアミドを導入しない。
【００６４】
２％のモンタノックス（登録商標）２０および４％のラウレス−７の導入後、約６３％のポリマーを含むアニオン性増粘用逆相ラテックスが得られる。得られた生成物は、やや粘稠であり、高い増粘力を有し、容易に相反転する。カール−フィッシャー滴定測定により測定したその水分含有量は、２．３重量％である。
【００６５】
粘度の測定（ブルックフィールドＲＶＴ粘度計）
Ａ  −  得られた濃縮逆相ラテックス２重量％を含む水溶液、および該逆相ラテックス２重量％と、塩化ナトリウム０．１重量％、１重量％および５重量％含有する水溶液の粘度を測定する。
【表３】
2008524368.tif 000004
【００６６】
例４：：ＭＢＡで架橋されたコポリマーＡＭ／ＡＡ／（ＡＬＥ−４０Ｅ）の逆相ラテックス（アニオン性増粘剤−組成物４）
前と同様にプロセスを行うが、６ｇのテトラエトキシル化ラウリルアクリレート（市販）（ＡＬＥ−４０）および０．０１２ｇのメチレンビス（アクリルアミド）を用いる。
【００６７】
ｆ）２％のモンタノックス（登録商標）２０および４％のラウレス−７の導入後、約６３％のポリマーを含むアニオン性増粘用逆相ラテックスが得られる。得られた生成物は、やや粘稠であり、高い増粘力を有し、容易に相反転する。カール−フィッシャー滴定測定により測定したその水分含有量は、２．２重量％である。
【００６８】
粘度の測定（ブルックフィールドＲＶＴ粘度計）
Ａ  −  得られた濃縮逆相ラテックス２重量％を含む水溶液、および該逆相ラテックス２重量％と、塩化ナトリウム０．１重量％、１重量％および５重量％含有する水溶液の粘度を測定する。
【表４】
2008524368.tif 000005
【００６９】
例５：：ＭＢＡで架橋されたコポリマーＡＭ／ＡＡ／（ＡＬＥ−４０Ｅ）の逆相ラテックス（アニオン性増粘剤−組成物５）
前と同様にプロセスを行うが、１．２ｇのテトラエトキシル化ラウリルアクリレート（市販）（ＡＬＥ−４０）および０．１４ｇのメチレンビス（アクリルアミド）（ＭＢＡ）を導入する。
【００７０】
２％のモンタノックス（登録商標）２０および４％のラウレス−７の導入後、約６３％のポリマーを含むアニオン性増粘用逆相ラテックスが得られる。得られた生成物は、やや粘稠であり、高い増粘力を有し、容易に相反転する。カール−フィッシャー滴定測定により測定したその水分含有量は、２．８重量％である。
【００７１】
粘度の測定（ブルックフィールドＲＶＴ粘度計）
Ａ  −  得られた濃縮逆相ラテックス２重量％を含む水溶液、および該逆相ラテックス２重量％と、塩化ナトリウム０．１重量％、１重量％および５重量％含有する水溶液の粘度を測定する。
【表５】
2008524368.tif 000006
【００７２】
例６：ターポリマーＡＭ／ＡＴＢＳ／ＡＡ／（ＡＬＥ−４０Ｅ）の逆相ラテックス（アニオン性増粘剤−組成物６）
ａ）以下のものを、攪拌しながら、第１の反応器に連続的に導入する：
−  ２２７．５ｋｇの市販の５０％（質量）アクリルアミド（ＡＭ）溶液、
−  ３０８．１ｋｇの、２−アクリルアミド−２−メチルプロパンスルホン酸（ＡＴＢＳ）のナトリウム塩の市販の５５％溶液、
−  ８．８ｋｇのアクリル酸（ＡＡ）、
−  ０．０３２ｋｇのメチレンビス（アクリルアミド）（ＭＢＡ）、
−  ０．３７ｋｇの市販の４０％ジエチレントリアミンペンタ酢酸ナトリウム溶液、
−  水酸化ナトリウムを用いてｐＨを６．２に調節する、
−  合計質量を５６４．３ｋｇにするための脱イオン水。
【００７３】
ｂ）有機相を、
−  １０７．６ｋｇのポリイソブテン、
−  ２５ｋｇのマルコール（登録商標）５２、
−  ７４．５ｋｇのアイソパー（登録商標）Ｈ、
−  １４．１ｋｇのモンテーン（登録商標）７０、
−  ２．５ｋｇのハイパーマー（登録商標）２２９６、
−  ４．１ｋｇのサイマライン（登録商標）ＩＥ２００、
−  ４．８ｋｇのテトラエトキシル化ラウリルアクリレート
を一緒に混合することにより第２の反応器中で調製する。
【００７４】
ｃ）ついで、攪拌しながら、上記水相を有機相中に導入し、こうして得られたプレ−エマルジョンを、次に、窒素噴霧下で、微細エマルジョンを作るように、シルバーソンタイプのターボミキサーを用いた激しい機械的攪拌に供する。
【００７５】
ｄ）約８℃に冷却した後、レドックス対：クメンヒドロペルオキシド／メタ重亜硫酸ナトリウムを用いて重合反応を開始させる。
【００７６】
ｅ）重合反応が完了したら、アイソパー（登録商標）Ｇおよび実質的にすべての水を真空蒸留により除去する。
【００７７】
ｆ）５％のモンタノックス（登録商標）２０の導入後、約６３％のポリマーを含むアニオン性増粘用逆相ラテックスが得られる。得られた生成物は、やや粘稠であり、高い増粘力を有し、容易に相反転する。カール−フィッシャー滴定測定により測定したその水分含有量は、３．１重量％である。
【００７８】
粘度の測定（ブルックフィールドＲＶＴ粘度計）
【表６】
2008524368.tif 000007
【００７９】
例７：ＭＢＡで架橋されたターポリマーＡＭ／ＡＴＢＳ／ＡＡ／ＡＬＥ４０Ｅの逆相ラテックス（組成物７）
ａ）以下のものを、攪拌しながら、第１のビーカーに連続的に導入する：
−  ５６０ｇの、２−アクリルアミド−２−メチルプロパンスルホン酸のナトリウム塩（ＡＴＢＳＮａ）の市販の５５％（質量）溶液、
−  ７３．３ｇの氷アクリル酸溶液、
−  ４０．６ｇの５０％水酸化ナトリウム水溶液、
−  ０．０７３ｇのメチレンビス（アクリルアミド）（ＭＢＡ）、
−  ０．４５ｇの市販の４０％ジエチレントリアミンペンタ酢酸ナトリウム溶液、
−  ２−アクリルアミド−２−メチルプロパンスルホン酸粉末を用いてｐＨを５．０に調節する、
−  合計質量を６８２ｇにするための脱イオン水。
【００８０】
ｂ）有機相を、
−  １３０ｇのポリイソブテン、
−  ３０ｇのマルコール（登録商標）５２、
−  ９０ｇのアイソパー（登録商標）Ｈ、
−  １７ｇのモンテーン（登録商標）７０、
−  ３．０ｇのハイパーマー（登録商標）２２９６、
−  ５．０ｇのサイマライン（登録商標）ＩＥ２００、
−  ９．５ｇのテトラエトキシル化ラウリルアクリレート
を一緒に混合することにより第２のビーカー中で調製する。
【００８１】
ｃ）ついで、攪拌しながら、上記水相を有機相中に導入し、こうして得られたプレ−エマルジョンを、次に、窒素噴霧下で、微細エマルジョンを作るように、シルバーソンタイプのターボミキサーを用いた激しい機械的攪拌に供する。
【００８２】
ｄ）約８℃に冷却した後、レドックス対：クメンヒドロペルオキシド／メタ重亜硫酸ナトリウムを用いて重合反応を開始させる。
【００８３】
ｅ）重合反応が完了したら、アイソパー（登録商標）Ｈおよび実質的にすべての水を真空蒸留により除去する。
【００８４】
ｆ）２％のモンタノックス（登録商標）２０および４％のラウレス−７を導入した後、約６３％のポリマーを含むアニオン性増粘用逆相ラテックスが得られる。得られた生成物は、やや粘稠であり、高い増粘力を有し、容易に相反転する。カール−フィッシャー滴定測定により測定したその水分含有量は、４重量％である。
【００８５】
粘度の測定（ブルックフィールドＲＶＴ粘度計）
【表７】
2008524368.tif 000008
【００８６】
例８：ＭＢＡで架橋されたターポリマーＡＭ／ＡＡ／（ＭＡＳ−２０  ＯＥ）の逆相ラテックス（組成物８）
プロセスを例１におけるように行うが、３０モルでエトキシル化されたステアリルメタクリレート（ＭＡＳ−２０  ＯＥ）３．４ｇおよびメチレンビスアクリルアミド０．０３４ｇを用いる。こうして、性能品質を以下に掲げるところの増粘用逆相ラテックスが得られる。
【表８】
2008524368.tif 000009
【００８７】
例９：ＭＢＡで架橋されたコポリマーＡＭ／ＡＡ／（ＭＢＥ−２５  ＯＥ）の逆相ラテックス（組成物９）
プロセスを例１におけるように行うが、ＭＡＳ−２０  ＯＥの代わりに、２５モルのエチレンオキサイドでエトキシル化されたベヘニルメタクリレート（ＭＢＥ−２５  ＯＥ）３．３ｇを用いる。
【表９】
2008524368.tif 000010
【００８８】
化粧料組成物の例
例１０：ケアクリーム
ダウ・コーニング（登録商標）３４５：            １０％
組成物２：                                      ０．８％
モンタノフ（登録商標）６８：                    ４．５％
保存剤：                                        ０．６５％
リシン：                                        ０．０２５％
ＥＤＴＡ（二ナトリウム塩）：                    ０．０５％
ケトロール（Ketrol）（登録商標）Ｔ：            ０．２％
グリセロール：                                  ３％
水：                                    １００％とする量。
【００８９】
例１１：ケアクリーム
ダウ・コーニング（登録商標）３４５：            １０％
組成物４：                                      ０．８％
モンタノフ（登録商標）６８：                    ４．５％
ペルフルオロポリメチルイソプロピルエーテル：    ０．５％
保存剤：                                        ０．６５％
リシン：                                        ０．０２５％
ＥＤＴＡ（二ナトリウム塩）：                      ０．０５％
ペムレン（Pemulen）（登録商標）ＴＲ：            ０．２％
グリセロール：                                    ３％
水：                                    １００％とする分量。
【００９０】
例１２：アフターシェーブバーム
組成
Ａ  組成物３：                                          １．５％
水：                                          １００％とする量
Ｂ  マイクロパール（Micropearl）（登録商標）Ｍ１００：  ５．０％
セピサイド（Sepicide）（登録商標）ＣＩ：            ０．５０％
フレグランス：                                      ０．２０％
９５°エタノール：                                  １０．０％
手順
ＢをＡに加える。
【００９１】
例１３：サテンボディエマルジョン（Satin body emulsion）
組成
Ａ  サイマルゾル（登録商標）１６５：          ５．０％
ラノール（Lanol）（登録商標）１６８８：    ８．５０％
シアバター（shea butter）：              ２％
流動パラフィン：                          ６．５％
ラノール（登録商標）１４Ｍ：              ３％
ラノール（登録商標）Ｓ：                  ０．６％
Ｂ  水：                                      ６６．２％
Ｃ  マイクロパール（登録商標）Ｍ１００        ５％
Ｄ  組成物５：                                ３％
Ｅ  セピサイド（登録商標）ＣＩ：              ０．３％
セピサイド（登録商標）ＨＢ：              ０．５％
モンテイン（Monteine）（登録商標）ＣＡ：  １％
フレグランス：                            ０．２０％
ビタミンＥアセテート：                    ０．２０％
ピロリジノンカルボン酸ナトリウム：        １％（保湿剤）
手順
ＣをＢに加え、Ｂを７０℃でＡ中に乳化させ、ついでＤを６０℃で加え、次いでＥを３０℃で加える。
【００９２】
例１４：ボディミルク
組成
Ａ  サイマルゾル（登録商標）１６５：                ５．０％
ラノール（登録商標）１６８８：                  １２．０％
ラノール（登録商標）１４Ｍ：                    ２．０％
セチルアルコール：                              ０．３％
シャーセモール（Schercemol）（登録商標）ＯＰ：  ３％
Ｂ  水：                                        １００％とする量
Ｃ  組成物４：                                      ０．３５％
Ｄ  セピサイド（登録商標）ＣＩ：                    ０．２％
セピサイド（登録商標）ＨＢ：                    ０．５％
フレグランス：                                  ０．２０％
手順
Ｂを約７５℃でＡ中に乳化させ；Ｃを６０℃で加え、ついで、Ｄを約３０℃で加える。
【００９３】
例１５：Ｏ／Ｗクリーム
組成
Ａ  サイマルゾル（登録商標）１６５：    ５．０％
ラノール（登録商標）１６８８：      ２０．０％
ラノール（登録商標）Ｐ：            １．０％
Ｂ  水：                                １００％とする量
Ｃ  組成物２：                          ２．５０％
Ｄ  セピサイド（登録商標）ＣＩ：        ０．２０％
セピサイド（登録商標）ＨＢ：        ０．３０％
手順
Ｂを約７５℃でＡに導入し、Ｃを約６０℃で加え、次いで、Ｄを約４５℃で加える。
【００９４】
例１６：べたつかない日焼け止めゲル（nongreasy antisun gel）
組成
Ａ  組成物５：                              ３．００％
水：                                    ３０％
Ｂ  セピサイド（登録商標）Ｃ：              ０．２０％
セピサイド（登録商標）ＨＢ：            ０．３０％
フレグランス：                          ０．１０％
Ｃ  染料：                                  適量
水：                                    ３０％
Ｄ  マイクロパール（登録商標）Ｍ１００：    ３．００％
水：                                    １００％とする量
Ｅ  シリコーン油：                          ２．０％
パーソル（Parsol）（登録商標）ＭＣＸ：  ５．００％
手順
ＢをＡに導入し、Ｃを加え、ついでＤを加え、次いでＥを加える。
【００９５】
例１７：日焼け止めミルク
組成
Ａ  セピパール（登録商標）Ｎ：          ３．０％
ごま油：                            ５．０％
パーソル（登録商標）ＭＣＸ：        ５．０％
λ−カラギーナン：                  ０．１０％
Ｂ  水：                                １００％とする量
Ｃ  組成物３：                          ０．８０％
Ｄ  フレグランス：                      適量
保存剤：                            適量
手順
Ｂを７５℃でＡ中に乳化させ、次いで、Ｃを約６０℃で加え、次いでＤを約３０℃で加え、必要ならばｐＨを調節する。
【００９６】
例１８：マッサージゲル
組成
Ａ  組成物２：                          ３．５％
水：                                ２０．０％
Ｂ  染料：                              ２滴／１００ｇ
水：                                適量
Ｃ  アルコール：                        １０％
メントール：                        ０．１０％
Ｄ  シリコーン油：                      ５．０％
手順
ＢをＡに加え、次いでＣをその混合物に加え、次いで、Ｄを加える。
【００９７】
例１９：マッサージケアゲル
組成
Ａ  組成物３：                          ３．００％
水：                                ３０％
Ｂ  セピサイド（登録商標）ＣＩ：        ０．２０％
セピサイド（登録商標）ＨＢ：        ０．３０％
フレグランス：                      ０．０５％
Ｃ  染料：                              適量
水：                                １００％とする量
Ｄ  マイクロパール（登録商標）ＳＱＬ：  ５．０％
ラノール（登録商標）１６８８：      ２％
手順
Ａを調製し、Ｂを加え、次いでＣを加え、次いで、Ｄを加える。
【００９８】
例２０：ラディアンスゲル
組成
Ａ  組成物４：                                ４％
水：                                      ３０％
Ｂ  エラスチンＨＰＭ：                        ５．０％
Ｃ  マイクロパール（登録商標）Ｍ１００：      ３％
水：                                      ５％
Ｄ  セピサイド（登録商標）ＣＩ：              ０．２％
セピサイド（登録商標）ＨＢ：              ０．３％
フレグランス：                            ０．０６％
５０％ピロリジノンカルボン酸ナトリウム：  １％
水：                                １００％とする量
手順
Ａを調製し、Ｂを加え、次いでＣを加え、次いでＤを加える。
【００９９】
例２１：ボディミルク
組成
Ａ  セピパール（登録商標）Ｎ：          ３．０％
グリセリルトリヘプトネート：        １０．０％
Ｂ  水：                                １００％とする量
Ｃ  組成物５：                          １．０％
Ｄ  フレグランス：                      適量
保存剤：                            適量
手順
Ａを約７５℃で溶融させる。Ｂを７５℃でＡ中に乳化させ、次いで、Ｃを約６０℃で加え、次いで、Ｄを加える。
【０１００】
例２２：スイートアーモンド油を有するメーキャップ除去用エマルジョン
組成
モンタノフ（登録商標）６８：            ５％
スイートアーモンド油：                  ５％
水：                                    １００％とする量
組成物４：                              ０．３％
グリセロール：                          ５％
保存剤：                                ０．２％
フレグランス：                          ０．３％。
【０１０１】
例２３：脂ぎった皮膚のための保湿用クリーム
組成
モンタノフ（登録商標）６８：            ５％
セチルステアリルオクタノエート：        ８％
オクチルパルミテート：                  ２％
水：                                    １００％とする量
組成物３：                              ０．６％
マイクロパール（登録商標）Ｍ１００：    ３．０％
ムコ多糖：                              ５％
セピサイド（登録商標）ＨＢ：            ０．８％
フレグランス：                          ０．３％。
【０１０２】
例２４：アルコールフリーの鎮静用アフターシェーブバーム
組成
ラウリルアミノ酸の混合物：              ０．１％〜５％
アスパラギン酸マグネシウムカリウム：    ０．００２％〜０．５％
ラノール（登録商標）９９：              ２％
スイートアーモンド油：                  ０．５％
水：                                    １００％とする量
組成物２：                              ３％
セピサイド（登録商標）ＨＢ：            ０．３％
セピサイド（登録商標）ＣＩ：            ０．２％
フレグランス：                          ０．４％。
【０１０３】
例２５：敏感な皮膚のためのＡＨＡを有するクリーム
組成
ラウリルアミノ酸の混合物：              ０．１％〜５％
アスパラギン酸マグネシウムカリウム：    ０．００２％〜０．５％
ラノール（登録商標）９９：              ２％
モンタノフ（登録商標）６８：            ５．０％
水：                                    １００％とする量
組成物２：                              １．５０％
グルコン酸：                            １．５０％
トリエタノールアミン：                  ０．９％
セピサイド（登録商標）ＨＢ：            ０．３％
セピサイド（登録商標）ＣＩ：            ０．２％
フレグランス：                          ０．４％。
【０１０４】
例２６：日焼け鎮静ケア
組成
ラウリルアミノ酸の混合物：              ０．１％〜５％
アスパラギン酸マグネシウムカリウム：    ０．００２％〜０．５％
ラノール（登録商標）９９：              １０．０％
水：                                    １００％とする量
組成物４：                              ２．５０％
セピサイド（登録商標）ＨＢ：            ０．３％
セピサイド（登録商標）ＣＩ：            ０．２％
フレグランス：                          ０．４％
染料：                                  ０．０３％。
【０１０５】
例２７：メーキャップ除去用ミルク
組成
セピパール（登録商標）Ｎ：                ３％
プリモール（Primol）（登録商標）３５２：  ８．０％
スイートアーモンド油：                    ２％
水：                                      １００％とする量
組成物３：                                ０．８％
保存剤：                                ０．２％。
【０１０６】
例２８：ボディミルク
組成
セピパール（登録商標）Ｎ：              ３．５％
ラノール（登録商標）３７Ｔ：            ８．０％
ソラガム（Solagum）（登録商標）Ｌ：    ０．０５％
水：                                    １００％とする量
ベンゾフェノン：                        ２．０％
ジメチコーン３５０ｃＰｓ：              ０．０５％
組成物５：                              ０．８％
保存剤：                                ０．２％
フレグランス：                          ０．４％。
【０１０７】
例２９：アルカリ性ｐＨの流動性エマルジョン
マルコール（登録商標）８２：            ５．０％
ＮａＯＨ：                              １０．０％
水：                                    １００％とする量
組成物２：                          １．５％。
【０１０８】
例３０：流動性ファンデーション
組成
サイマルゾル（登録商標）１６５：        ５．０％
ラノール（登録商標）８４Ｄ：            ８．０％
ラノール（登録商標）９９：              ５．０％
水：                                    １００％とする量
ミネラルフィラーおよび顔料：            １０．０％
組成物３：                              １．２％
保存剤：                                ０．２％
フレグランス：                          ０．４％。
【０１０９】
例３１：日焼け止めミルク
組成
セピパール（登録商標）Ｎ：                      ３．５％
ラノール（登録商標）３７Ｔ：                    １０．０％
パーソル（登録商標）ＮＯＸ：                    ５．０％
ユーソレックス（Eusolex）（登録商標）４３６０：  ２．０％
水：                                            １００％とする量
組成物４：                                      １．８％
保存剤：                                        ０．２％
フレグランス：                                  ０．４％。
【０１１０】
例３２：目の隈取用ゲル（eye contour gel）
組成
組成物３：                              ２．０％
フレグランス：                          ０．０６％
ピロリジノンカルボン酸ナトリウム：      ０．２％
ダウ・コーニング（登録商標）２４５流体  ２．０％
水                                      １００％とする量。
【０１１１】
例３３：リーブ・イン（Leave−in）ケア組成物
組成
組成物４：                                    １．５％
フレグランス：                                適量
保存剤：                                      適量
ダウ・コーニング（登録商標）Ｘ２  ８３６０：  ５．０％
ダウ・コーニング（登録商標）Ｑ２  １４０１：  １５．０％
水：                                    １００％とする量。
【０１１２】
例３４：スリム化用ゲル（slimming gel）
組成物５：                              ５％
エタノール：                            ３０％
メントール：                            ０．１％
カフェイン：                            ２．５％
ラスカスエキス                        ２％
アイビーエキス                        ２％
セピサイド（登録商標）ＨＢ：            １％
水：                                    １００％とする量。
【０１１３】
例３５：アルコールフリーの鎮静化アフターシェーブバーム
組成
Ａ  リパサイド（Lipacide）（登録商標）ＰＶＢ：  １．０％
ラノール（登録商標）９９：                  ２．０％
スイートアーモンド油：                      ０．５％
Ｂ  組成物３：                                  ３．５％
Ｃ  水：                                        １００％とする量
Ｄ  フレグランス：                              ０．４％
セピサイド（登録商標）ＨＢ：                ０．４％
セピサイド（登録商標）ＣＩ：                ０．２％。
【０１１４】
例３６：リフレッシュ性アフターシェーブゲル
組成
Ａ  リパサイド（登録商標）ＰＶＢ：      ０．５％
ラノール（登録商標）９９：          ５．０％
組成物２：                          ２．５％
Ｂ  水：                                １００％とする量
Ｃ  マイクロパール（登録商標）ＬＭ：    ０．５％
フレグランス：                      ０．２％
セピサイド（登録商標）ＨＢ：        ０．３％
セピサイド（登録商標）ＣＩ：        ０．２％。
【０１１５】
例３７：脂ぎった皮膚のためのケア
組成
Ａ  マイクロパール（登録商標）Ｍ３１０：                １．０％
組成物４：                                          ５．０％
オクチルイソノナノエート：                          ４．０％
Ｂ  水：                                                １００％とする量
Ｃ  セピコントロール（Sepicontrol）（登録商標）Ａ５：  ４．０％
フレグランス：                                      ０．１％
セピサイド（登録商標）ＨＢ：                        ０．３％
セピサイド（登録商標）ＣＩ：                        ０．２％
Ｄ  カピゲル（Capigel）（登録商標）９８：              ０．５％
水：                                              １０％。
【０１１６】
例３８：ＡＨＡを有するクリーム
組成
Ａ  モンタノフ（登録商標）６８：        ５．０％
リパサイド（登録商標）ＰＶＢ：      １．０５％
ラノール（登録商標）９９：          １０．０％
Ｂ  水：                                １００％とする量
グルコン酸：                        １．５％
ＴＥＡ（トリエタノールアミン）：      ０．９％
Ｃ  組成物５：                            １．５％
Ｄ  フレグランス：                      ０．４％
セピサイド（登録商標）ＨＢ：        ０．２％
セピサイド（登録商標）ＣＩ：        ０．４％。
【０１１７】
例３９：顔と身体のためのべたつかないセルフタンニング製品
組成
Ａ  ラノール（登録商標）２６８１：      ３．０％
組成物４：                          ２．５％
Ｂ  水：                                １００％とする量
ジヒドロキシアセトン：              ３．０％
Ｃ  フレグランス：                      ０．２％
セピサイド（登録商標）ＨＢ：        ０．８％
水酸化ナトリウム：                  ｐＨ＝５とする量。
【０１１８】
例４０：モノイオイルを有する日焼け止めミルク
組成
Ａ  モノイオイル：                      １０％
リパサイド（登録商標）ＰＶＢ：      ０．５％
組成物２：                          ２．２％
Ｂ  水：                                １００％とする量
Ｃ  フレグランス：                      ０．１％
セピサイド（登録商標）ＨＢ：        ０．３％
セピサイド（登録商標）ＣＩ：        ０．１％
パーソル（登録商標）ＭＣＸ：        ４．０％。
【０１１９】
例４１：顔用日焼け止めケア
組成
Ａ  ＤＣ（登録商標）１５０１：          ４．０％
組成物３：                          ３．５％
Ｂ  水：                                １００％とする量
Ｃ  フレグランス：                      ０．１％
セピサイド（登録商標）ＨＢ：        ０．３％
セピサイド（登録商標）ＣＩ：        ０．２１％
オクチルメトキシシンナメート：      ５．０％
チタンマイカ：                      ２．０％
乳酸：                              ｐＨ＝６．５とする量。
【０１２０】
例４２：無日照日焼け用エマルジョン（non-sum tanning emulsion）
組成
Ａ  ラノール（登録商標）９９：          １５％
モンタノフ（登録商標）６８：        ５．０％
オクチルパラメトキシシンナメート：  ３．０％
Ｂ  水：                                １００％とする量
ジヒドロキシアセトン：              ５．０％
リン酸一ナトリウム：                ０．２％
Ｃ  組成物４：                          ０．５％
Ｄ  フレグランス：                      ０．３％
セピサイド（登録商標）ＨＢ：        ０．８％
水酸化ナトリウム：                  ｐＨ＝５とする量。
【０１２１】
例４３：光沢（gloss）ゲル
組成物５：                              １．５％
揮発性シリコーン：                      ２５％
モノプロピレングリコール：              ２５％
脱塩水：                                １０％
グリセロール：                          １００％とする量。
【０１２２】
例４４：スリム化用ゲル
組成物４：                              １．５％
ラノール（登録商標）９９：              ２％
カフェイン：                            ５％
エタノール：                            ４０％
マイクロパール（登録商標）ＬＭ：        ２％
脱塩水：                              １００％とする量
保存剤、フレグランス：                  適量。
【０１２３】
例４５：メーキャップ除去用ミルク
サイマルゾル（登録商標）１６５：              ４％
モンタノフ（登録商標）２０２：                １％
トリグリセリドカプリレート−カプレート：      １５％
ペコシル（Pecosil）（登録商標）ＤＣＴ：      １％
脱塩水：                                      適量
カピゲル（登録商標）９８：                    ０．５％
組成物５：                                    １％
プロテオール（Proteol）（登録商標）Ｏａｔ：  ２％
水酸化ナトリウム：                      ｐＨ＝７にする量。
【０１２４】
例４６：ストレスがかかり、もろくなった毛髪のための再構築用「ゆすぎ落とし」クリームマスク
組成
ケトロール（登録商標）Ｔ：                    ０．５％
ペコシル（登録商標）ＳＰＰ５０：              ０．７５％
Ｎ−ココイルアミノ酸：                        ０．７０％
ブチレングリコール：                          ３．０％
組成物１：                                    ３．０％
モンタノフ（登録商標）８２：                  ３．０％
ホホバ油：                                １．０％
ラノール（登録商標）Ｐ：                      ６．０％
アモニル（Amonyl）（登録商標）ＤＭ：          １．０％
ラノール（登録商標）９９：                    ５．０％
セピサイド（登録商標）ＨＢ：                  ０．３％
セピサイド（登録商標）ＣＩ：                  ０．２％
フレグランス：                                ０．２％
水：                                    １００％とする量。
【０１２５】
例４７：日焼け止めクリーム
サイマルゾル（登録商標）１６５：        ３％
モンタノフ（登録商標）２０２：          ２％
Ｃ12-Ｃ15ベンゾエート：                ８％
ペコシル（登録商標）ＰＳ１００：        ２％
ジメチコーン：                          ２％
ダウ・コーニング（登録商標）３４５：    ５％
オクチルパラ−メトキシシンナメート：    ６％
ベンゾフェノン−３：                    ４％
酸化チタン：                            ８％
ケトロール（登録商標）Ｔ：              ０．２％
ブチレングリコール：                    ５％
脱塩水：                              １００％とする量
組成物２：                              １．５％
保存剤、フレグランス：                  適量。
【０１２６】
例４８：混合肌（combination skin）のためのケアゲル
組成物３：                              ４％
植物スクアレン：                        ５％
ジメチコーン：                          １．５％
セピコントロール（登録商標）Ａ５：      ４％
ケトロール（登録商標）Ｔ：              ０．３％
水：                                    １００％とする量
保存剤、フレグランス：。
【０１２７】
例４９：ケアローション
ブチレングリコール：                    ３．０％
組成物６：                              ３％
サイマルゾル（登録商標）１２９３：      ３．０％
乳酸：                                  ｐＨ＝６とする量
セピサイド（登録商標）ＨＢ：            ０．２％
セピサイド（登録商標）ＣＩ：            ０．３％
フレグランス：                          ０．３％
水：                                    １００％とする量。
【０１２８】
例５０：保護用、リラックス性シャンプー（Protective, relaxing shampoo）
アモニル（登録商標）６７５ＳＢ：            ５．０％
２８％ラウリルエーテル硫酸ナトリウム：      ３５．０％
組成物６：                                  ３．０％
セピサイド（登録商標）ＨＢ：                ０．５％
セピサイド（登録商標）ＣＩ：                ０．３％
水酸化ナトリウム：                      ｐＨ＝７．２とする量
フレグランス：                              ０．３％
染料（ＦＤＣブルー１／イエロー５）：      適量
水：                                    １００％とする量。
【０１２９】
例５１：「リーブ・オン（leave-on）」保護用製品；抗ストレスヘアケア
ケトロール（登録商標）Ｔ：              ０．５％
ココイルアミノ酸の混合物：              ３．０％
ブチレングリコール：                    ５．０％
ＤＣ１５０１：                          ５．０％
組成物１：                              ４．０％
セピサイド（登録商標）ＨＢ：            ０．５％
セピサイド（登録商標）ＣＩ：            ０．３％
フレグランス：                          ０．３％
水：                                    １００％とする量。
【０１３０】
例５２：ビタミンを有するクリーム
サイマルゾル（登録商標）１６５：        ５％
モンタノフ（登録商標）２０２：          １％
カプリリック／カプリックトリグリセリド：２０％
ビタミンＡパルミテート：                ０．２％
ビタミンＥアセテート：                  １％
マイクロパール（登録商標）Ｍ３０５：    １．５％
組成物１：                              ２％
水：                                    １００％とする量
保存剤、フレグランス：                  適量。
【０１３１】
例５３：ケアクリーム
ダウ・コーニング（登録商標）３４５：      １０％
組成物１：                                ０．８％
モンタノフ（登録商標）６８：              ２％
ステアリルアルコール：                    １％
ステアリックアルコール                    ０．５％
保存剤                                    ０．６５％
リシン：                                  ０．０２５％
ＥＤＴＡ（二ナトリウム塩）                ０．０５％
ケトロール（登録商標）Ｔ：                ０．２％
グリセロール：                            ３％
水：                                    １００％とする量。
【０１３２】
例５４：アフターシェーブバーム
組成
Ａ  組成物３：                            １．５％
水：                                  １００％とする量
Ｂ  マイクロパール（登録商標）Ｍ１００：  ５．０％
セピサイド（登録商標）ＣＩ：          ０．５０％
フレグランス：                        ０．２０％
９５°エタノール：                    １０．０％。
【０１３３】
手順
ＢをＡに加える。
【０１３４】
例５５：サテンボディエマルジョン
組成
Ａ  サイマルゾル（登録商標）１６５：          ５．０％
ラノール（登録商標）１６８８：            ８．５０％
シアバター：                              ２％
流動パラフィン：                          ６．５％
ラノール（登録商標）１４Ｍ：              ３％
ラノール（登録商標）Ｓ：                  ０．６％
Ｂ  水：                                      ６６．２％
Ｃ  マイクロパール（登録商標）Ｍ１００        ５％
Ｄ  組成物５：                                ３％
Ｅ  セピサイド（登録商標）ＣＩ：              ０．３％
セピサイド（登録商標）ＨＢ：              ０．５％
アクアキシル（Aquaxyl）（登録商標）：      ３％
フレグランス：                            ０．２０％
ビタミンＥアセテート：                    ０．２０％
ピロリジノンカルボン酸ナトリウム：        １％
手順
ＣをＢに加え、Ｂを７０℃でＡ中に乳化させ、ついでＤを６０℃で加え、次いでＥを３０℃で加える。
【０１３５】
例５６：Ｏ／Ｗクリーム
組成
Ａ  サイマルゾル（登録商標）１６５：    ５．０％
ラノール（登録商標）１６８８：      ２０．０％
ラノール（登録商標）Ｐ：            １．０％
Ｂ  水：                                １００％とする量
Ｃ  組成物２：                          ２．５０％
Ｄ  セピサイド（登録商標）ＣＩ：        ０．２０％
セピサイド（登録商標）ＨＢ：        ０．３０％
手順
Ｂを約７５℃でＡに導入し、Ｃを約６０℃で加え、次いで、Ｄを約４５℃で加える。
【０１３６】
例５７：べたつかない日焼け止めゲル
組成
Ａ  組成物７：                              ３．００％
水：                                    ３０％
Ｂ  セピサイド（登録商標）ＣＩ：            ０．２０％
セピサイド（登録商標）ＨＢ：            ０．３０％
フレグランス：                          ０．１０％
Ｃ  染料：                                  適量
水：                                    ３０％
Ｄ  マイクロパール（登録商標）Ｍ１００：    ３．００％
水：                                    １００％とする量
Ｅ  シリコーン油：                          ２．０％
パーソル（登録商標）ＭＣＸ：            ５．００％
手順
ＢをＡに導入し、Ｃを加え、ついでＤを加え、次いでＥを加える。
【０１３７】
例５８：日焼け止めミルク
組成
Ａ  モンタノフ（登録商標）Ｓ：          ３．０％
ごま油：                            ５．０％
パーソル（登録商標）ＭＣＸ：        ５．０％
λ−カラギーナン：                  ０．１０％
Ｂ  水：                                １００％とする量
Ｃ  組成物１：                          ０．８０％
Ｄ  フレグランス：                      適量
保存剤：                            適量
手順
Ｂを７５℃でＡ中に乳化させ、次いで、Ｃを約６０℃で加え、次いでＤを約３０℃で加え、必要ならばｐＨを調節する。
【０１３８】
例５９：マッサージゲル
組成
Ａ  組成物８：                          ３．５％
水：                                ２０．０％
Ｂ  染料：                              ２滴／１００ｇ
水：                                適量
Ｃ  アルコール：                        １０％
メントール：                        ０．１０％
Ｄ  シリコーン油：                      ５．０％
手順
ＢをＡに加え、次いでＣをその混合物に加え、次いで、Ｄを加える。
【０１３９】
例６０：保湿および艶消し（moisturizing and matting）ファンデーション
組成
Ａ  水：                                      ２０．０％
ブチレングリコール：                      ４．０％
ＰＥＧ−４００：                          ４．０％
ペコシル（登録商標）ＰＳ１００：          １．０％
ＮａＯＨ：                              ｐＨ＝９とする量
二酸化チタン：                            ７．０％
タルク：                                  ２．０％
鉄黄：                                    ０．８％
弁柄：                                    ０．３％
黒色酸化鉄：                              ０．０５％
Ｂ  ラノール（登録商標）９９：                ８％
カプリリック／カプリックトリグリセリド：  ８％
モンタノフ（登録商標）２０２：            ５．００％
Ｃ  水                                        １００％とする量
マイクロパール（登録商標）Ｍ３０５：      ２．０％
ＥＤＴＡ四ナトリウム：                    ０．０５％
Ｄ  ダウ・コーニング（登録商標）３４５：      ４．０％
キサンタンガム：                          ０．２％
組成物５：                                ０．８％
Ｅ  セピサイド（登録商標）ＨＢ：              ０．５％
セピサイドＣＩ：                          ０．３％
フレグランス：                            ０．２％。
【０１４０】
手順
混合物Ｂ＋ＤとＡ＋Ｃを８０℃で調製し、ついで一緒に混合し、乳化させる。
【０１４１】
例６１：ラディアンスゲル
組成
Ａ  組成物５：                                ４％
水：                                      ３０％
Ｂ  エラスチンＨＰＭ：                        ５．０％
Ｃ  マイクロパール（登録商標）Ｍ１００：      ３％
水：                                      ５％
Ｄ  セピサイド（登録商標）ＣＩ：              ０．２％
セピサイド（登録商標）ＨＢ：              ０．３％
フレグランス：                            ０．０６％
５０％ピロリジノンカルボン酸ナトリウム：  １％
水：                                １００％とする量
手順
Ａを調製し、Ｂを加え、次いでＣを加え、次いでＤを加える。
【０１４２】
例６２：ボディミルク
組成
モンタノフ（登録商標）Ｓ：              ３．５％
ラノール（登録商標）３７Ｔ：            ８．０％
ソラガム（登録商標）Ｌ：                ０．０５％
水：                                    １００％とする量
ベンゾフェノン−３：                    ２．０％
ジメチコーン３５０ｃＰｓ：              ０．０５％
組成物４：                              ０．８％
保存剤：                                ０．２％
フレグランス：                          ０．４％。
【０１４３】
例６３：スイートアーモンド油を有するメーキャップ除去用エマルジョン
組成
モンタノフ（登録商標）６８：            ５％
スイートアーモンド油：                  ５％
水：                                    １００％とする量
組成物３：                              ０．３％
グリセロール：                          ５％
保存剤：                                ０．２％
フレグランス：                          ０．３％。
【０１４４】
例６４：脂ぎった皮膚のための保湿用クリーム
組成
モンタノフ（登録商標）６８：            ５％
セチルステアリルオクタノエート：        ８％
オクチルパルミテート：                  ２％
水：                                    １００％とする量
組成物３：                              ０．６％
マイクロパール（登録商標）Ｍ１００：    ３．０％
ムコ多糖：                              ５％
セピサイド（登録商標）ＨＢ：            ０．８％
フレグランス：                          ０．３％。
【０１４５】
例６５：アルコールフリーの鎮静化アフターシェーブバーム
組成
Ａ  リパサイド（登録商標）ＰＶＢ：              １．０％
ラノール（登録商標）９９：                  ２．０％
スイートアーモンド油：                      ０．５％
Ｂ  組成物１：                                  ３．５％
Ｃ  水：                                        １００％とする量
Ｄ  フレグランス：                              ０．４％
セピサイド（登録商標）ＨＢ：                ０．４％
セピサイド（登録商標）ＣＩ：                ０．２％。
【０１４６】
例６６：敏感な皮膚のためのＡＨＡを有するクリーム
ラウリルアミノ酸の混合物：              ０．１％〜５％
アスパラギン酸マグネシウムカリウム：    ０．００２％〜０．５％
ラノール（登録商標）９９：              ２％
モンタノフ（登録商標）６８：            ５．０％
水：                                    １００％とする量
組成物４：                              １．５０％
グルコン酸：                            １．５０％
トリエタノールアミン：                  ０．９％
セピサイド（登録商標）ＨＢ：            ０．３％
セピサイド（登録商標）ＣＩ：            ０．２％
フレグランス：                          ０．４％。
【０１４７】
例６７：日焼け鎮静ケア
ラウリルアミノ酸の混合物：              ０．１％〜５％
アスパラギン酸マグネシウムカリウム：    ０．００２％〜０．５％
ラノール（登録商標）９９：              １０．０％
水：                                    １００％とする量
組成物２：                              ２．５０％
セピサイド（登録商標）ＨＢ：            ０．３％
セピサイド（登録商標）ＣＩ：            ０．２％
フレグランス：                          ０．４％
染料：                                  ０．０３％。
【０１４８】
例６８：メーキャップ除去用ミルク
セピパール（登録商標）Ｎ：                ３％
プリモール（登録商標）３５２：            ８．０％
スイートアーモンド油：                    ２％
水：                                      １００％とする量
組成物５：                                ０．８％
保存剤：                                ０．２％。
【０１４９】
例６９：アルカリ性ｐＨの流動性エマルジョン
マルコール（登録商標）８２：            ５．０％
ＮａＯＨ：                              １０．０％
水：                                    １００％とする量
組成物４：                              １．５％。
【０１５０】
例７０：流動性ファンデーション
サイマルゾル（登録商標）１６５：        ５．０％
ラノール（登録商標）８４Ｄ：            ８．０％
ラノール（登録商標）９９：              ５．０％
水：                                    １００％とする量
ミネラルフィラーおよび顔料：            １０．０％
組成物５：                              １．２％
保存剤：                                ０．２％
フレグランス：                          ０．４％。
【０１５１】
例７１：日焼け止めミルク
セピパール（登録商標）Ｎ：                      ３．５％
ラノール（登録商標）３７Ｔ：                    １０．０％
パーソル（登録商標）ＮＯＸ：                    ５．０％
ユーソレックス（登録商標）４３６０：            ２．０％
水：                                            １００％とする量
組成物１：                                      １．８％
保存剤：                                        ０．２％
フレグランス：                                  ０．４％。
【０１５２】
例７２：目の隈取用ゲル
組成物２：                              ２．０％
フレグランス：                          ０．０６％
ピロリジノンカルボン酸ナトリウム：      ０．２％
ダウ・コーニング（登録商標）２４５流体  ２．０％
水                                      １００％とする量。
【０１５３】
例７３：リーブ・インケア組成物
組成物３：                                    １．５％
フレグランス：                                適量
保存剤：                                      適量
ダウ・コーニング（登録商標）Ｘ２  ８３６０：  ５．０％
ダウ・コーニング（登録商標）Ｑ２  １４０１：  １５．０％
水：                                    １００％とする量。
【０１５４】
例７４：スリム化用ゲル
組成物６：                              ５％
エタノール：                            ３０％
メントール：                            ０．１％
カフェイン：                            ２．５％
ラスカスエキス                        ２％
アイビーエキス                        ２％
セピサイド（登録商標）ＨＢ：            １％
水：                                    １００％とする量。
【０１５５】
例７５：超自然染色クリームゲル
組成
Ａ  水：                                      １０．０％
ブチレングリコール：                      ４．０％
ＰＥＧ−４００：                          ４．０％
ペコシル（登録商標）ＰＳ１００：          １．０％
ＮａＯＨ：                              ｐＨ＝７とする量
二酸化チタン：                            ２．０％
鉄黄：                                    ０．８％
弁柄：                                    ０．３％
黒色酸化鉄：                              ０．０５％
Ｂ  ラノール（登録商標）９９：                ４．０％
カプリリック／カプリックトリグリセリド：  ４．０％
セピフィール（Sepifeel）（登録商標）ワン：１．０％
組成物５：                                ３．０％
Ｃ  水：                                      １００％とする量
マイクロパール（登録商標）Ｍ３０５：      ２．０％
ＥＤＴＡ四ナトリウム：                    ０．０５％
ダウ・コーニング（登録商標）２４５流体：  ４．０％
Ｄ  セピサイド（登録商標）ＨＢ：              ０．５％
セピサイドＣＩ：                          ０．３％
フレグランス：                            ０．２％。
【０１５６】
手順
混合物Ｂ＋Ｃを調製し、ついでＡを加え、ついでＤを加える。
【０１５７】
例７６：脂ぎった皮膚のためのケア
組成
Ａ  マイクロパール（登録商標）Ｍ３１０：                １．０％
組成物５：                                          ５．０％
オクチルイソノナノエート：                          ４．０％
Ｂ  水：                                                １００％とする量
Ｃ  セピコントロール（登録商標）Ａ５：                  ４．０％
フレグランス：                                      ０．１％
セピサイド（登録商標）ＨＢ：                        ０．３％
セピサイド（登録商標）ＣＩ：                        ０．２％
Ｄ  カピゲル（登録商標）９８：                          ０．５％
水：                                                １０％。
【０１５８】
例７７：ＡＨＡを有するクリーム
組成
Ａ  モンタノフ（登録商標）６８：        ５．０％
リパサイド（登録商標）ＰＶＢ：      １．０５％
ラノール（登録商標）９９：          １０．０％
Ｂ  水：                                １００％とする量
グルコン酸：                        １．５％
ＴＥＡ（トリエタノールアミン）：      ０．９％
Ｃ  組成物４：                            １．５％
Ｄ  フレグランス：                      ０．４％
セピサイド（登録商標）ＨＢ：        ０．２％
セピサイド（登録商標）ＣＩ：        ０．４％。
【０１５９】
例７８：顔と身体のためのべたつかないセルフタンニング製品
組成
Ａ  ラノール（登録商標）２６８１：      ３．０％
組成物３：                          ２．５％
Ｂ  水：                                １００％とする量
ジヒドロキシアセトン：              ３．０％
Ｃ  フレグランス：                      ０．２％
セピサイド（登録商標）ＨＢ：        ０．８％
水酸化ナトリウム：                  ｐＨ＝５とする量。
【０１６０】
例７９：モノイオイルを有する日焼け止めミルク
組成
Ａ  モノイオイル：                      １０％
リパサイド（登録商標）ＰＶＢ：      ０．５％
組成物７：                          ２．２％
Ｂ  水：                                １００％とする量
Ｃ  フレグランス：                      ０．１％
セピサイド（登録商標）ＨＢ：        ０．３％
セピサイド（登録商標）ＣＩ：        ０．１％
パーソル（登録商標）ＭＣＸ：        ４．０％。
【０１６１】
例８０：顔用日焼け止めケア
組成
Ａ  ＤＣ（登録商標）１５０１：          ４．０％
組成物５：                          ３．５％
Ｂ  水：                                １００％とする量
Ｃ  フレグランス：                      ０．１％
セピサイド（登録商標）ＨＢ：        ０．３％
セピサイド（登録商標）ＣＩ：        ０．２１％
パーソル（登録商標）ＭＣＸ：        ５．０％
チタンマイカ：                      ２．０％
乳酸：                              ｐＨ＝６．５とする量。
【０１６２】
例８１：無日照日焼け用エマルジョン
組成
Ａ  ラノール（登録商標）９９：          １５％
モンタノフ（登録商標）６８：        ５．０％
パーソル（登録商標）ＭＣＸ：        ３．０％
Ｂ  水：                                １００％とする量
ジヒドロキシアセトン：              ５．０％
リン酸一ナトリウム：                ０．２％
Ｃ  組成物１：                          ０．５％
Ｄ  フレグランス：                      ０．３％
セピサイド（登録商標）ＨＢ：        ０．８％
ＮａＯＨ：                  ｐＨ＝５とする量。
【０１６３】
例８２：ケアクリーム
ダウ・コーニング（登録商標）３４５：            １０％
組成物８：                                      ０．８％
モンタノフ（登録商標）６８：                    ４．５％
保存剤：                                        ０．６５％
リシン：                                        ０．０２５％
ＥＤＴＡ（二ナトリウム塩）：                    ０．０５％
ケトロール（登録商標）Ｔ：                      ０．２％
グリセロール：                                  ３％
水：                                            １００％とする量。
【０１６４】
例８３：ケアクリーム
ダウ・コーニング（登録商標）３４５：            １０％
組成物３：                                      ０．８％
モンタノフ（登録商標）６８：                    ４．５％
ペルフルオロポリメチルイソプロピルエーテル：    ０．５％
保存剤：                                        ０．６５％
リシン：                                        ０．０２５％
ＥＤＴＡ（二ナトリウム塩）：                    ０．０５％
ペムレン（登録商標）ＴＲ：                      ０．２％
グリセロール：                                  ３％
水：                                            １００％とする分量。
【０１６５】
例８４：ボディミルク
組成
Ａ  サイマルゾル（登録商標）１６５：                ５．０％
ラノール（登録商標）１６８８：                  １２．０％
ラノール（登録商標）１４Ｍ：                    ２．０％
セチルアルコール：                              ０．３％
シャーセモール（登録商標）ＯＰ：                ３％
Ｂ  水：                                            １００％とする量
Ｃ  組成物４：                                      ０．３５％
Ｄ  セピサイド（登録商標）ＣＩ：                    ０．２％
セピサイド（登録商標）ＨＢ：                    ０．５％
フレグランス：                                  ０．２０％
手順
Ｂを約７５℃でＡ中に乳化させ；Ｃを６０℃で加え、ついで、Ｄを約３０℃で加える。
【０１６６】
例８５：マッサージケアゲル
組成
Ａ  組成物５：                          ３．００％
水：                                ３０％
Ｂ  セピサイド（登録商標）ＣＩ：        ０．２０％
セピサイド（登録商標）ＨＢ：        ０．３０％
フレグランス：                      ０．０５％
Ｃ  染料：                              適量
水：                                １００％とする量
Ｄ  マイクロパール（登録商標）ＳＱＬ：  ５．０％
ラノール（登録商標）１６８８：      ２％
手順
Ａを調製し、Ｂを加え、次いでＣを加え、次いで、Ｄを加える。
【０１６７】
例８６：ボディミルク
組成
Ａ  セピパール（登録商標）Ｎ：          ３．０％
グリセリルトリヘプトネート：        １０．０％
Ｂ  水：                                １００％とする量
Ｃ  組成物４：                          １．０％
Ｄ  フレグランス：                      適量
保存剤：                            適量
手順
Ａを約７５℃で溶融させる。Ｂを７５℃でＡ中に乳化させ、次いで、Ｃを約６０℃で加え、次いで、Ｄを加える。
【０１６８】
例８７：アルコールフリーの鎮静用アフターシェーブバーム
ラウリルアミノ酸の混合物：              ０．１％〜５％
アスパラギン酸マグネシウムカリウム：    ０．００２％〜０．５％
ラノール（登録商標）９９：              ２％
スイートアーモンド油：                  ０．５％
水：                                    １００％とする量
組成物３：                              ３％
セピサイド（登録商標）ＨＢ：            ０．３％
セピサイド（登録商標）ＣＩ：            ０．２％
フレグランス：                          ０．４％。
【０１６９】
例８８：ボディミルク
セピパール（登録商標）Ｎ：              ３．５％
ラノール（登録商標）３７Ｔ：            ８．０％
ソラガム（登録商標）Ｌ：                ０．０５％
水：                                    １００％とする量
ベンゾフェノン−３：                    ２．０％
ジメチコーン３５０ｃＰｓ：              ０．０５％
組成物２：                              ０．８％
保存剤：                                ０．２％
フレグランス：                          ０．４％。
【０１７０】
例８９：アルコールフリーの鎮静化アフターシェーブバーム
Ａ  リパサイド（登録商標）ＰＶＢ：              １．０％
ラノール（登録商標）９９：                  ２．０％
スイートアーモンド油：                      ０．５％
Ｂ  組成物１：                                  ３．５％
Ｃ  水：                                        １００％とする量
Ｄ  フレグランス：                              ０．４％
セピサイド（登録商標）ＨＢ：                ０．４％
セピサイド（登録商標）ＣＩ：                ０．２％。
【０１７１】
例９０：リフレッシュ性アフターシェーブゲル
組成
Ａ  リパサイド（登録商標）ＰＶＢ：      ０．５％
ラノール（登録商標）９９：          ５．０％
組成物３：                          ２．５％
Ｂ  水：                                １００％とする量
Ｃ  マイクロパール（登録商標）ＬＭ：    ０．５％
フレグランス：                      ０．２％
セピサイド（登録商標）ＨＢ：        ０．３％
セピサイド（登録商標）ＣＩ：        ０．２％。
【０１７２】
例９１：ＡＨＡを有するクリーム
組成
Ａ  モンタノフ（登録商標）６８：        ５．０％
リパサイド（登録商標）ＰＶＢ：      １．０５％
ラノール（登録商標）９９：          １０．０％
Ｂ  水：                                １００％とする量
グルコン酸：                        １．５％
ＴＥＡ（トリエタノールアミン）：      ０．９％
Ｃ  組成物３：                          １．５％
Ｄ  フレグランス：                      ０．４％
セピサイド（登録商標）ＨＢ：        ０．２％
セピサイド（登録商標）ＣＩ：        ０．４％。
【０１７３】
例９２：光沢ゲル
組成物７：                              １．５％
揮発性シリコーン：                      ２５％
モノプロピレングリコール：              ２５％
脱塩水：                                １０％
グリセロール：                          １００％とする量。
【０１７４】
例９３：スリム化用ゲル
組成物６：                              １．５％
ラノール（登録商標）９９：              ２％
カフェイン：                            ５％
エタノール：                            ４０％
マイクロパール（登録商標）ＬＭ：        ２％
脱塩水：                                １００％とする量
保存剤、フレグランス：                  適量。
【０１７５】
例９４：メーキャップ除去用ミルク
サイマルゾル（登録商標）１６５：              ４％
モンタノフ（登録商標）２０２：                １％
トリグリセリドカプリレート−カプレート：      １５％
ペコシル（登録商標）ＤＣＴ：                  １％
脱塩水：                                      適量
カピゲル（登録商標）９８：                    ０．５％
組成物４：                                    １％
プロテオール（登録商標）Ｏａｔ：              ２％
水酸化ナトリウム：                      ｐＨ＝７にする量。
【０１７６】
例９５：ストレスがかかり、もろくなった毛髪のための再構築用「ゆすぎ落とし」クリームマスク
組成
ケトロール（登録商標）Ｔ：                ０．５％
ペコシル（登録商標）ＳＰＰ５０：          ０．７５％
Ｎ−ココイルアミノ酸：                    ０．７０％
ブチレングリコール：                      ３．０％
組成物１：                                ３．０％
モンタノフ（登録商標）８２：              ３．０％
ホホバ油：                                １．０％
ラノール（登録商標）Ｐ：                  ６．０％
アモニル（登録商標）ＤＭ：                １．０％
ラノール（登録商標）９９：                ５．０％
セピサイド（登録商標）ＨＢ：              ０．３％
セピサイド（登録商標）ＣＩ：              ０．２％
フレグランス：                            ０．２％
水：                                      １００％とする量。
【０１７７】
例９６：日焼け止めクリーム
サイマルゾル（登録商標）１６５：        ３％
モンタノフ（登録商標）２０２：          ２％
Ｃ12-Ｃ15ベンゾエート：                ８％
ペコシル（登録商標）ＰＳ１００：        ２％
ジメチコーン：                          ２％
ダウ・コーニング（登録商標）３４５：    ５％
パーソル（登録商標）ＭＣＸ：            ６％
ベンゾフェノン−３：                    ４％
酸化チタン：                            ８％
ケトロール（登録商標）Ｔ：              ０．２％
ブチレングリコール：                    ５％
脱塩水：                              １００％とする量
組成物８：                              １．５％
保存剤、フレグランス：                  適量。
【０１７８】
例９７：混合肌のためのケアゲル
組成物３：                              ４％
植物スクアレン：                        ５％
ジメチコーン：                          １．５％
セピコントロール（登録商標）Ａ５：      ４％
ケトロール（登録商標）Ｔ：              ０．３％
水：                                    １００％とする量
保存剤、フレグランス：                  適量。
【０１７９】
例９８：ケアローション
ブチレングリコール：                    ３．０％
組成物４：                              ３％
サイマルゾル（登録商標）１２９３：      ３．０％
乳酸：                                  ｐＨ＝６とする量
セピサイド（登録商標）ＨＢ：            ０．２％
セピサイド（登録商標）ＣＩ：            ０．３％
フレグランス：                          ０．３％
水：                                    １００％とする量。
【０１８０】
例９９：保護用、リラックス用シャンプー
アモニル（登録商標）６７５ＳＢ：            ５．０％
２８％ラウリルエーテル硫酸ナトリウム：      ３５．０％
組成物６：                                  ３．０％
セピサイド（登録商標）ＨＢ：                ０．５％
セピサイド（登録商標）ＣＩ：                ０．３％
水酸化ナトリウム：                      ｐＨ＝７．２とする量
フレグランス：                          ０．３％
染料（ＦＤＣブルー１／イエロー５）：      適量
水：                                    １００％とする量。
【０１８１】
例１００：「リーブ・オン（leave-on）」保護用製品：抗ストレスヘアケア
ケトロール（登録商標）Ｔ：              ０．５％
ココイルアミノ酸の混合物：              ３．０％
ブチレングリコール：                    ５．０％
ＤＣ１５０１：                          ５．０％
組成物１：                              ４．０％
セピサイド（登録商標）ＨＢ：            ０．５％
セピサイド（登録商標）ＣＩ：            ０．３％
フレグランス：                          ０．３％
水：                                    １００％とする量。
【０１８２】
例１０１：ビタミンを有するクリーム
サイマルゾル（登録商標）１６５：        ５％
モンタノフ（登録商標）２０２：          １％
カプリリック／カプリックトリグリセリド：２０％
ビタミンＡパルミテート：                ０．２％
ビタミンＥアセテート：                  １％
マイクロパール（登録商標）Ｍ３０５：    １．５％
組成物２：                              ２％
水：                                    １００％とする量
保存剤、フレグランス：                  適量。
【０１８３】
例１０２：日焼け止めゲル
組成
組成物５：                              ３．００％
セピサイド（登録商標）ＣＩ：            ０．２０％
セピサイド（登録商標）ＨＢ：            ０．３０％
フレグランス：                          ０．１０％
染料：                                  適量
シリカ：                                ３．０％
水：                                    １００％とする量
シリコーン油：                          ２．０％
ベンゾフェノン−３：                    ５．０％。
【０１８４】
例１０３：リップグロス
組成物５：                                            １．５０％
シャーセモール（登録商標）ＴＩＳＣ：                  １５．００％％
ビスタノール（Vistanol）（登録商標）ＮＰＧＣ：        １５．００％
カンジュリン（Candurin）パプリカ：                    ０．５０％
モンタノックス（登録商標）８０：                        １．００％
アンタロン（Antaron）（登録商標）Ｖ２１６：            ０．９０％
アプリコット香料：                                      ０．２０％
セピサイド（登録商標）ＨＢ                              ０．５０％
Ｃ  マルチデックス（Maltidex）（登録商標）Ｈ１６３２２：１００％とする量。
【０１８５】
例１０４：サンオイルプレスパウダー
組成物３：                                    ２．００％
ラノール（登録商標）９９：                    １２．００％
セピホワイト（Sepiwhite）（登録商標）ＭＳＨ：  １．００％
タルク：                                        ３３．００％
マイクロパール（登録商標）Ｍ３１０：            ３．０％
鉄黄：                                          ０．８％
弁柄：                                          ０．３％
黒色酸化鉄：                                    ０．０５％
マイカ：                                        １００％とする量。
【０１８６】
例１０５：アトピー性向の皮膚のためのエマルジョン
アーラセル（Arlacel）（登録商標）Ｐ１３５：      ２．０％
組成物６：                                        １．００％
ラノール（登録商標）１６８８：                    １４．００％
プリモール（登録商標）３５２：                    ８．００％
グリセロール：                                    ５．００％
水：                                              １００％とする量
硫酸マグネシウム：                                ０．７０％
セピサイド（登録商標）ＨＢ：                      ０．３０％
セピサイド（登録商標）ＣＩ：                      ０．２０％
マイクロパール（登録商標）Ｍ３１０：              ５．００％
例１０６：鎮静日焼け止めケア（シリコーン中水）
組成物８：                                ２．００％
ＤＣ５２２５Ｃ：                          ２０．００％
ＤＣ３４５：                              １０．００％
セピカーム（Sepicalm）（登録商標）ＶＧ：  ３．００％
二酸化チタンＭＴ１００Ｔ：                ５．００％
酸化亜鉛Ｚ−Ｃｏｔｅ  ＨＰ１：            ５．００％
セピサイド（登録商標）ＨＢ：              ０．３０％
フレグランス：                            ０．０５％
セピサイド（登録商標）ＣＩ：              ０．２０％
グリセロール：                            ５．００％
塩化ナトリウム                            ２．００％
水                                        １００％とする量。
【０１８７】
例１０７：多相ケア
組成物７：                                ３．００％
Ｃ12-15アルキルベンゾエート：            ２５．００％
アクアキシル（登録商標）：                  ３．００％
セピトニック（Sepitonic）（登録商標）Ｍ３：１．００％
セピサイド（登録商標）ＨＢ：                ０．５０％
セピサイド（登録商標）ＣＩ：                ０．３０％
水：                                        １００％とする量。
【０１８８】
例において用いられた市販製品の定義は以下のとおりである：
サイマルゾル（登録商標）１２９３は、セピック社により販売されている４０に等しいエトキシル化指数を有する水素化されエトキシル化されたひまし油である。
【０１８９】
カピゲル（登録商標）９８は、セピック社により販売されているアクリレートコポリマーに基づく液体増粘剤である。
【０１９０】
ケトロール（登録商標）Ｔは、ケルコ（Kelco）により販売されているキサンタンガムである。
【０１９１】
ラノール（登録商標）９９は、セピック社により販売されているイソノニルイソノナノエートである。
【０１９２】
ＤＣ１５０１は、ダウ・ケミカル社により販売されているシクロペンタシロキサンとジメチコノールとの混合物である。
【０１９３】
モンタノフ（登録商標）８２は、セテアリールアルコールとココイルグルコシドに基づく乳化剤である。
【０１９４】
モンタノフ（登録商標）６８（セテアリールグルコシド）はセピック社により販売されている、ＷＯ９２／０６７７８に開示されているような自己乳化性組成物である。
【０１９５】
マイクロパール（登録商標）Ｍ１００は、マツモ社により販売されているきわめてソフトな感触と艶消し作用を有する超微細粉末である。
【０１９６】
セピサイド（登録商標）ＣＩ、イミダゾリジン尿素は、セピック社により販売されている保存剤である。
【０１９７】
ペムレン（登録商標）ＴＲは、グッドリッチにより販売されているアクリルポリマーである。
【０１９８】
サイマルゾル（登録商標）１６５は、セピック社により販売されている自己乳化性グリセリルステアレートである。
【０１９９】
ラノール（登録商標）１６８８は、セピック社により販売されているべたつかない効果を有するエモリエントエステルである。
【０２００】
ラノール（登録商標）１４Ｍおよびラノール（登録商標）Ｓは、セピック社により販売されているコンシステンシー因子（consistency factor）である。
【０２０１】
フェノキシエタノール、メチルパラベン、エチルパラベン、プロピルパラベンおよびブチルパラベンの混合物であるセピサイド（登録商標）ＨＢは、セピック社により販売されている保存剤である。
【０２０２】
アクアキシル（登録商標）は、セピック社により販売されている保湿剤である。
【０２０３】
シャーセモール（登録商標）ＯＰは、べたつかない効果を有するエモリエントエステルである。
【０２０４】
ラノール（登録商標）Ｐは、セピック社により販売されている安定化効果を有する添加剤である。
【０２０５】
パーソル（登録商標）ＭＣＸは、ジボーダン（Givaudan）により販売されているオクチルパラ−メトキシシンナメートである。
【０２０６】
セピパール（登録商標）Ｎは、ＷＯ９５／１３８６３に開示されているもののようなアルキルポリグルコシドの混合物に基づくセピック社により販売されている真珠光沢剤である。
【０２０７】
マイクロパール（登録商標）ＳＱＬは、マッサージ作用により放出されるスクアレンを含む微小粒子の混合物である。これは、マツモ社により販売されている。
【０２０８】
ラノール（登録商標）３７Ｔは、セピック社により販売されているグリセリルトリヘプタノエートである。
【０２０９】
ソラガム（登録商標）Ｌは、セピック社により販売されているカラギーナンである。
【０２１０】
マルコール（登録商標）８２は、エクソン社により販売されている流動パラフィンである。
【０２１１】
ラノール（登録商標）８４Ｄは、セピック社により販売されているマレイン酸ジオクチルである。
【０２１２】
パーソル（登録商標）ＮＯＸは、ジボーダン社により販売されている日焼け止めである。
【０２１３】
ユーソレックス（登録商標）４３６０は、メルク社により販売されている日焼け止めである。
【０２１４】
ダウ・コーニング（登録商標）２４５流体は、ダウ・コーニング社により販売されているシクロメチコーンである。
【０２１５】
リパサイド（登録商標）ＰＶＢは、セピック社により販売されているアシル化された小麦たんぱく質加水分解物である。
【０２１６】
マイクロパール（登録商標）ＬＭは、セピック社により販売されているスクアレン、ポリ（メチルメタクリレート）およびメントールの混合物である。
【０２１７】
セピコントロール（登録商標）Ａ５は、１９９８年６月２３日に出願された国際特許出願ＰＣＴ／ＦＲ９８／０１３１３に開示されているもののような、セピック社により販売されているカプリロイルグリシン、サルコシン、シナモン・ジラニクム（Cinnamon zylanicum）のエキスの混合物である。
【０２１８】
ラノール（登録商標）２６８１はセピック社により販売されているココナッツカプリレート／カプレートの混合物である。
【０２１９】
モンタノフ（登録商標）２０２は、セピック社により販売されているＷＯ９８／４７６１０に開示されているようなＡＰＧ／脂肪アルコール組成物である。
【０２２０】
プロテオール（登録商標）ＡＰＬは、セピック社により販売されている発泡性界面活性剤である。
【０２２１】
シャースモール（登録商標）ＴＩＳＣは、シェール（Scher）社により販売されているエステル（トリイソステアリルシトレート）である。
【０２２２】
ビスタノール（登録商標）ＮＰＧＣは、セワ化成社により販売されているエステル（ネオペンチルグリコールジカプレート）である。
【０２２３】
アンタロン（登録商標）Ｖ２１６は、ユニバール（Univar）社により流通されている合成ポリマー（ＰＶＰ／ヘキサデセンコポリマー）である。
【０２２４】
Ｃ  マルチデックス（登録商標）Ｈ１６３２２は、セレスター（Cerestar）社により販売されているポリオール（マルチトールシロップ）である。
【０２２５】
セピホワイト（登録商標）ＭＳＨは、セピック社により販売されている脱色性活性剤（ウンデシレノイルフェニルアラニン）である。
【０２２６】
ＤＣ３４５は、ダウ・コーニング社により販売されているシクロメチコーンである。
【０２２７】
ＤＣ５２２５Ｃは、ダウ・コーニング社により販売されている、シクロペンタシロキサンとジメチコーンコポリオールの混合物である。
【０２２８】
セピカーム（登録商標）ＶＧは、セピック社により販売されている鎮静性活性剤（パルミトイルプロリンナトリウム）である。
【０２２９】
ＭＴ１００ＶＴは、ユニペックス社により流通されている、表面処理（水酸化アルミニウム/ステアリン酸）を受けた微粉化二酸化チタンである。
【０２３０】
Ｚ−Ｃｏｔｅ  ＨＰ１は、ガッテフォス（Gattefosse）により流通されている、表面処理を受けた微粉化酸化亜鉛である。
【０２３１】
カンジュリンパプリカは、ケイ酸カリウムアルミニウムと酸化鉄の混合物である。
【０２３２】
モンテイン（登録商標）ＣＡは、セピック社により販売されている保湿剤である。
【国際調査報告】
2008524368.tif 000011
2008524368.tif 000012
2008524368.tif 000013
2008524368.tif 000014